(57)【要約】      （修正有）【課題】色空間の座標値の変換に使用するプロファイルの調整を容易にすることが可能な技術を提供する。【解決手段】プロファイル調整方法は、色空間の座標値の変換に使用するプロファイルを調整する。該プロファイル調整方法は、調整の目標を設定する調整点の座標に少なくとも基づいて、該調整点において調整後のプロファイルに前記目標からの誤差が生じる要因を判別する誤差要因判別工程と、判別された要因と、前記誤差への該判別された要因に対応する対策と、の少なくとも一方の情報を出力する出力工程と、を含む。【選択図】図２３
2019021977.tif 000002
【特許請求の範囲】
【請求項１】
色空間の座標値の変換に使用するプロファイルを調整するプロファイル調整方法であって、
調整の目標を設定する調整点の座標に少なくとも基づいて、該調整点において調整後のプロファイルに前記目標からの誤差が生じる要因を判別する誤差要因判別工程と、
判別された要因と、前記誤差への該判別された要因に対応する対策と、の少なくとも一方の情報を出力する出力工程と、を含む、プロファイル調整方法。
【請求項２】
前記調整点における調整の目標を受け付ける目標受付工程と、
受け付けられた前記目標に基づいて前記プロファイルを調整するプロファイル調整工程と、をさらに含み、
前記誤差要因判別工程では、少なくとも前記調整点の座標に基づいて、該調整点において前記プロファイル調整工程による調整後のプロファイルに前記目標からの誤差が生じる要因を判別する、請求項１に記載のプロファイル調整方法。
【請求項３】
前記調整点の座標に基づく色のパッチを有するカラーチャートの出力処理を行うカラーチャート出力工程と、
前記パッチの測色値を取得する測色値取得工程と、をさらに含み、
前記目標受付工程では、前記測色値を基準として前記目標を受け付ける、請求項２に記載のプロファイル調整方法。
【請求項４】
前記調整点の座標に基づく複数の色のパッチを有するカラーチャートの出力処理を行うカラーチャート出力工程をさらに含み、
前記目標受付工程では、前記複数のパッチから選ばれたパッチに対応する色を表す値を前記目標として受け付ける、請求項２に記載のプロファイル調整方法。
【請求項５】
前記調整点における前記目標と、前記調整後のプロファイルと、に基づいて、前記調整点において前記調整後のプロファイルに生じる前記目標からの誤差を求める誤差取得工程をさらに含み、
前記出力工程では、前記誤差取得工程において求められた誤差を出力する、請求項１〜請求項４のいずれか一項に記載のプロファイル調整方法。
【請求項６】
前記出力工程では、前記調整点において前記調整後のプロファイルに生じる前記目標からの誤差が許容される判定基準を満たす場合には、前記情報を出力しない、請求項１〜請求項５のいずれか一項に記載のプロファイル調整方法。
【請求項７】
第一の色空間の第一座標値と第二の色空間の第二座標値との対応関係を規定したリンクプロファイル、前記第一座標値とプロファイル接続空間の第三座標値との対応関係を規定した入力プロファイル、及び、前記第三座標値と前記第二座標値との対応関係を規定した出力プロファイルの内の２種類以上のプロファイルの中からいずれか一つを調整対象の前記プロファイルとして受け付ける調整対象プロファイル指定工程をさらに含む、請求項１〜請求項６のいずれか一項に記載のプロファイル調整方法。
【請求項８】
前記誤差要因判別工程では、プロファイル接続空間の第三座標値と出力デバイスに依存する第二の色空間の第二座標値との対応関係を規定した出力プロファイルと、前記調整点の座標と、に基づいて前記調整点が前記出力デバイスの色再現域外にあるか否かを判断し、
前記出力工程では、前記調整点が前記出力デバイスの色再現域外にあると判断された場合に前記要因として前記調整点が前記出力デバイスの色再現域外にある旨を出力する、請求項１〜請求項７のいずれか一項に記載のプロファイル調整方法。
【請求項９】
前記誤差要因判別工程では、前記プロファイルの入力色空間において同じ格子点の出力座標値を調整対象としている複数の前記調整点の有無を判断し、
前記出力工程では、前記誤差要因判別工程において有と判断された場合に前記要因として調整点同士が近傍にある旨を出力する、請求項１〜請求項８のいずれか一項に記載のプロファイル調整方法。
【請求項１０】
前記調整点の座標に基づく複数の色のパッチを有し、該複数のパッチが同じ出力色の複数の特定パッチを含むカラーチャートの出力処理を行うカラーチャート出力工程と、
前記複数の特定パッチのそれぞれの測色値を取得する特定パッチ測色値取得工程と、をさらに含み、
前記誤差要因判別工程では、前記特定パッチ測色値取得工程において取得された複数の測色値のばらつきが所定の許容範囲を超えているか否かを判断し、
前記出力工程では、前記ばらつきが前記許容範囲を超えていると判断された場合に前記要因としてパッチの測色値のばらつきが大きい旨を出力する、請求項１〜請求項９のいずれか一項に記載のプロファイル調整方法。
【請求項１１】
前記出力工程では、前記誤差要因判別工程による判別対象の要因のそれぞれについて、該要因と、前記誤差への該要因に対応する対策と、を対応付けた情報テーブルから、前記誤差要因判別工程において判別された要因、及び、前記誤差への該判別された要因に対応する対策を読み出して出力する、請求項１〜請求項１０のいずれか一項に記載のプロファイル調整方法。
【請求項１２】
色空間の座標値の変換に使用するプロファイルを調整するためのプロファイル調整プログラムであって、
調整の目標を設定する調整点の座標に少なくとも基づいて、該調整点において調整後のプロファイルに前記目標からの誤差が生じる要因を判別する誤差要因判別機能と、
判別された要因と、前記誤差への該判別された要因に対応する対策と、の少なくとも一方の情報を出力する出力機能と、をコンピューターに実現させる、プロファイル調整プログラム。
【請求項１３】
色空間の座標値の変換に使用するプロファイルを調整するプロファイル調整装置であって、
調整の目標を設定する調整点の座標に少なくとも基づいて、該調整点において調整後のプロファイルに前記目標からの誤差が生じる要因を判別する誤差要因判別部と、
判別された要因と、前記誤差への該判別された要因に対応する対策と、の少なくとも一方の情報を出力する出力部と、を含む、プロファイル調整装置。
【発明の詳細な説明】
【技術分野】
【０００１】
本発明は、色空間の座標値の変換に使用するプロファイルを調整する技術に関する。
【背景技術】
【０００２】
インクジェットプリンターをオフセット印刷等といった印刷の校正用途に使う場合、要求される色再現精度（色を正確に再現する度合い）が非常に高い。これを実現する仕組みとしては、ＩＣＣ（International Color Consortium）プロファイルを用いたカラーマネジメントシステムがある。ＩＣＣプロファイルは、印刷機（例えばオフセット印刷機）、インクジェットプリンター、等といったカラー機器の機器依存カラーと機器非依存カラーとの対応関係を表すデータである。印刷機やインクジェットプリンターの機器依存カラーは、例えば、Ｃ（シアン）、Ｍ（マゼンタ）、Ｙ（イエロー）、及び、Ｋ（ブラック）の使用量を表すＣＭＹＫ値で表される。機器非依存カラーは、例えば、機器独立色空間（device independent color space）であるＣＩＥ（国際照明委員会）Ｌ*ａ*ｂ*色空間の色彩値（「*」を省略してＬａｂ値とする。）やＣＩＥ ＸＹＺ色空間の色彩値で表される。
【０００３】
ここで、印刷機のＩＣＣプロファイルを入力プロファイルとし、インクジェットプリンターのＩＣＣプロファイルを出力プロファイルとする。印刷機におけるＣＭＹＫ値（ＣＭＹＫt値とする。）を入力プロファイルに従ってＰＣＳ（Profile Connection Space；プロファイル接続空間）の色彩値（例えばＬａｂ値）に変換すると、この色彩値を出力プロファイルに従ってインクジェットプリンターのＣＭＹＫ値（ＣＭＹＫp値とする。）に変換することができる。ＣＭＹＫp値に従ってインクジェットプリンターで印刷を行うと、インクジェットプリンターで印刷機の色に近い色を再現することができる。実際には、プロファイルの誤差、色測定誤差、プリンターの変動、等により、期待する色が再現できない場合がある。このような場合、ＩＣＣプロファイルを修正することにより、対象の色の変換精度を上げている。
【０００４】
特許文献１には、校正機をターゲットデバイスとしてＣＭＹＫプリンターの色再現を調整するためにＣＭＹＫプリンター用の出力プロファイルの入力値（Ｌａｂ値）を調整する方法が開示されている。モニターには、被調整色（調整点）とターゲット色との色差が表示される。
【先行技術文献】
【特許文献】
【０００５】
【特許文献１】特開２００３−８７５８９号公報
【発明の概要】
【発明が解決しようとする課題】
【０００６】
表示された上記色差を見てユーザーが出力プロファイルを調整しようとしても、実際には思い通りに色差を低減させることができない場合がある。この場合、ユーザーは、どのように出力プロファイルを調整すればよいのか分からないことがある。
尚、上述のような問題は、インクジェットプリンターを対象としたプロファイルを調整する場合に限らず、種々のカラー機器を対象としたプロファイルを調整する場合にも存在する。
【０００７】
本発明の目的の一つは、色空間の座標値の変換に使用するプロファイルの調整を容易にすることが可能な技術を提供することにある。
【課題を解決するための手段】
【０００８】
上記目的の一つを達成するため、本発明は、色空間の座標値の変換に使用するプロファイルを調整するプロファイル調整方法であって、
調整の目標を設定する調整点の座標に少なくとも基づいて、該調整点において調整後のプロファイルに前記目標からの誤差が生じる要因を判別する誤差要因判別工程と、
判別された要因と、前記誤差への該判別された要因に対応する対策と、の少なくとも一方の情報を出力する出力工程と、を含む、態様を有する。
【０００９】
また、本発明は、上述したプロファイル調整方法の各工程に対応する機能をコンピューターに実現させるプロファイル調整プログラムの態様を有する。
【００１０】
さらに、本発明は、上述したプロファイル調整方法の各工程に対応するユニット（「部」）を含むプロファイル調整装置の態様を有する。
【００１１】
上述した態様は、色空間の座標値の変換に使用するプロファイルの調整を容易にする技術を提供することができる。
【図面の簡単な説明】
【００１２】
【図１】プロファイル調整システムの構成例を模式的に示すブロック図。
【図２】カラーマネジメントフローの例を模式的に示す図。
【図３】各種プロファイルの関係の例を模式的に示す図。
【図４】プロファイルの構造例を模式的に示す図。
【図５】プロファイル調整処理の例を示すフローチャート。
【図６】プロファイル及びパラメーター設定処理の例を示すフローチャート。
【図７】ユーザーインターフェイス画面の例を模式的に示す図。
【図８】図８Ａ〜８Ｄはプロファイルの組合せと一つのプロファイルとのいずれか一方を受け付ける例を模式的に示す図。
【図９】図９Ａ〜９Ｄは調整対象プロファイルを受け付ける例を模式的に示す図。
【図１０】図１０Ａ〜１０Ｃは調整対象色空間を受け付ける例を模式的に示す図。
【図１１】図１１Ａは調整の目標の入力方法を受け付ける例を模式的に示す図、図１１Ｂは調整の目標を色空間の座標値として受け付ける場合のＵＩ画面の例を模式的に示す図、図１１Ｃは調整点を設定する例を模式的に示す図。
【図１２】測色用カラーチャートの印刷物の例を模式的に示す図。
【図１３】調色カラーチャートの印刷物の例を模式的に示す図。
【図１４】図１４Ａ〜１４Ｅは現在の出力値の算出例を模式的に示す図。
【図１５】現在の出力値を算出する式の例を模式的に示す図。
【図１６】図１６Ａ〜１６Ｄは調整対象色空間に応じた目標出力値の算出例を模式的に示す図。
【図１７】図１７Ａ〜１７Ｃは調整対象色空間に応じた目標出力値の算出例を模式的に示す図。
【図１８】目標出力値を算出する式の例を模式的に示す図。
【図１９】図１９Ａ，１９Ｂは調整対象プロファイルの入力値及び調整目標値を求める例を模式的に示す図。
【図２０】調整対象プロファイルの入力値及び調整目標値を算出する式の例を模式的に示す図。
【図２１】図２１Ａは調整対象プロファイルの出力色空間において調整する場合の各格子点の調整量を模式的に示す図、図２１Ｂは調整対象プロファイルの入力色空間において調整する場合の各格子点の調整量を模式的に示す図。
【図２２】図２２Ａは最近傍格子点に対する出力値の調整量を決定する例を模式的に示す図、図２２Ｂ最近傍格子点の周囲の格子点に対する出力値の調整量を決定する例を模式的に示す図。
【図２３】誤差要因対策出力処理の例を示すフローチャート。
【図２４】目標色彩値を算出する式の例を模式的に示す図。
【図２５】調整後の出力色彩値を算出する式の例を模式的に示す図。
【図２６】誤差要因対策テーブルの例を模式的に示す図。
【図２７】誤差要因判別処理の例を示すフローチャート。
【図２８】プロファイルの入力色空間において同じ格子点の出力座標値を調整対象としている複数の調整点の例を模式的に示す図。
【図２９】図２９Ａは判別結果のＵＩ画面の例を模式的に示す図、図２９Ｂは色差の詳細表示の例を模式的に示す図。
【図３０】図３０Ａ〜３０Ｃは誤差要因対策の詳細表示の例を模式的に示す図。
【図３１】プロファイルを調整する前に誤差要因判別処理を行う例を示すフローチャート。
【図３２】判別結果のＵＩ画面の例を模式的に示す図。
【図３３】図３３Ａ〜３３Ｃは誤差要因対策の詳細表示の例を模式的に示す図。
【発明を実施するための形態】
【００１３】
以下、本発明の実施形態を説明する。むろん、以下の実施形態は本発明を例示するものに過ぎず、実施形態に示す特徴の全てが発明の解決手段に必須になるとは限らない。
【００１４】
（１）本発明に含まれる技術の概要：
まず、図１〜３３に示される例を参照して本発明に含まれる技術の概要を説明する。尚、本願の図は模式的に例を示す図であり、これらの図に示される各方向の拡大率は異なることがあり、各図は整合していないことがある。むろん、本技術の各要素は、符号で示される具体例に限定されない。
【００１５】
［態様１］
図２３〜３３等に例示するように、本技術の一態様に係るプロファイル調整方法は、色空間の座標値の変換に使用するプロファイル５００を調整するプロファイル調整方法であって、誤差要因判別工程ＳＴ７、及び、出力工程ＳＴ８を含む。前記誤差要因判別工程ＳＴ７では、調整の目標Ｔ０を設定する調整点Ｐ０の座標に少なくとも基づいて、該調整点Ｐ０において調整後のプロファイル５００に前記目標Ｔ０からの誤差（例えば色差Ｅｒ）が生じる要因ＤＡ１を判別する。前記出力工程ＳＴ８では、判別された要因ＤＡ１と、前記誤差（Ｅｒ）への該判別された要因ＤＡ１に対応する対策ＤＡ２と、の少なくとも一方の情報を出力する。
【００１６】
上記態様１において、ユーザーは、調整点Ｐ０において調整後のプロファイル５００に目標Ｔ０からの誤差（Ｅｒ）が生じる要因ＤＡ１と、誤差（Ｅｒ）への該要因ＤＡ１に対応する対策ＤＡ２と、の少なくとも一方を直接知ることができる。従って、本態様は、色空間の座標値の変換に使用するプロファイルの調整を容易にするプロファイル調整方法を提供することができる。
【００１７】
ここで、調整の目標Ｔ０は、色空間の座標値で表されてもよいし、色空間の現在の座標値からの差分で表されてもよい。
情報の出力には、情報を表示すること、情報を表示装置に表示させる（表示データを出力する）こと、情報を印刷すること、情報を印刷装置に印刷させる（印刷データを出力する）こと、情報を音声出力すること、情報を音声出力装置に音声出力させる（音声データを出力する）こと、等が含まれる。
誤差が生じる要因の判別、及び、情報の出力は、プロファイルを調整した後に行うのみならず、プロファイルを調整する前も可能である。プロファイルの調整前は該プロファイルに調整後において生じる誤差が未確定であるため、判別される要因は予測される要因である。
上述した付言は、以下の態様も同様である。
【００１８】
［態様２］
図５〜７等に例示するように、本プロファイル調整方法は、前記調整点Ｐ０における調整の目標Ｔ０を受け付ける目標受付工程ＳＴ４をさらに含んでもよい。また、本プロファイル調整方法は、前記目標受付工程ＳＴ４において受け付けられた前記目標Ｔ０に基づいて前記プロファイル５００を調整するプロファイル調整工程ＳＴ５をさらに含んでもよい。前記誤差要因判別工程ＳＴ７では、少なくとも前記調整点Ｐ０の座標に基づいて、該調整点Ｐ０において前記プロファイル調整工程ＳＴ５による調整後のプロファイル５００に前記目標Ｔ０からの誤差（Ｅｒ）が生じる要因ＤＡ１を判別してもよい。本態様は、プロファイルの調整をさらに容易にする技術を提供することができる。
【００１９】
［態様３］
本プロファイル調整方法は、前記調整点Ｐ０の座標に基づく色のパッチＰＡを有するカラーチャートＣＨ１（図１２参照）の出力処理を行うカラーチャート出力工程ＳＴ２をさらに含んでもよい。また、本プロファイル調整方法は、前記パッチＰＡの測色値を取得する測色値取得工程ＳＴ３をさらに含んでもよい。前記目標受付工程ＳＴ４では、前記測色値を基準として前記目標Ｔ０を受け付けてもよい。本態様は、プロファイルの調整をさらに容易にする技術を提供することができる。
ここで、カラーチャートの出力処理には、カラーチャートを印刷すること、印刷装置にカラーチャートを印刷させること、等が含まれる。この付言は、以下の態様も同様である。
【００２０】
［態様４］
また、本プロファイル調整方法は、前記調整点Ｐ０の座標に基づく複数の色のパッチＰＡを有するカラーチャートＣＨ１（図１３参照）の出力処理を行うカラーチャート出力工程ＳＴ２をさらに含んでもよい。前記目標受付工程ＳＴ４では、前記複数のパッチＰＡから選ばれたパッチＰＡ２に対応する色を表す値を前記目標Ｔ０として受け付けてもよい。本態様も、プロファイルの調整をさらに容易にする技術を提供することができる。
【００２１】
［態様５］
ところで、図２３〜２５等に例示するように、本プロファイル調整方法は、前記調整点Ｐ０における前記目標Ｔ０と、前記調整後のプロファイル５００と、に基づいて、前記調整点Ｐ０において前記調整後のプロファイル５００に生じる前記目標Ｔ０からの誤差（例えば色差Ｅｒ）を求める誤差取得工程ＳＴ６をさらに含んでもよい。前記出力工程ＳＴ８では、前記誤差取得工程ＳＴ６において求められた誤差（Ｅｒ）を出力してもよい。本態様の場合、ユーザーは、調整点Ｐ０において調整後のプロファイル５００に生じる目標Ｔ０からの誤差（Ｅｒ）も知ることができる。従って、本態様は、プロファイルの調整をさらに容易にする技術を提供することができる。
【００２２】
［態様６］
図２９Ａ等に例示するように、前記出力工程ＳＴ８では、前記調整点Ｐ０において前記調整後のプロファイル５００に生じる前記目標Ｔ０からの誤差（例えば色差Ｅｒ）が許容される判定基準（例えば閾値Ｅｒｔｈ以下）を満たす場合には、前記情報を出力しなくてもよい。この態様は、調整点Ｐ０において調整後のプロファイル５００に目標Ｔ０からの誤差（Ｅｒ）が許容される判定基準（Ｅｒｔｈ以下）を満たすような重要度の低い情報が出力されないので、プロファイルの調整をさらに容易にする技術を提供することができる。
尚、上記態様６には含まれないが、上記判定基準が無く常に誤差要因と対策の少なくとも一方の情報を出力する場合も本技術に含まれる。
【００２３】
［態様７］
ところで、図９Ａ〜９Ｄ等に例示するように、本プロファイル調整方法は、第一の色空間ＣＳ１（例えばＣＭＹＫ色空間）の第一座標値（例えばＣＭＹＫ値）と第二の色空間ＣＳ２（例えばｃｍｙｋ色空間）の第二座標値（例えばｃｍｙｋ値）との対応関係を規定したリンクプロファイル（例えばデバイスリンクプロファイル６３０）、前記第一座標値とプロファイル接続空間ＣＳ３（例えばＬａｂ色空間）の第三座標値（例えばＬａｂ値）との対応関係を規定した入力プロファイル６１０、及び、前記第三座標値と前記第二座標値との対応関係を規定した出力プロファイル６２０の内の２種類以上のプロファイル５００の中からいずれか一つを調整対象の前記プロファイル（５５０）として受け付ける調整対象プロファイル指定工程ＳＴ１をさらに含んでもよい。この態様は、プロファイル５００の調整対象をリンクプロファイル（６３０）、入力プロファイル６１０、及び、出力プロファイル６２０の内の２種類以上のプロファイル５００の中から指定することができる。従って、本態様は、プロファイルを調整する作業の利便性を向上させるプロファイル調整方法を提供することができる。
【００２４】
ここで、第一の色空間には、ＣＭＹＫ色空間、ＣＭＹ色空間、ＲＧＢ色空間、等が含まれる。尚、Ｒは赤を意味し、Ｇは緑を意味し、Ｂは青を意味する。
第二の色空間には、ＣＭＹＫ色空間、ＣＭＹ色空間、ＲＧＢ色空間、等が含まれる。以下述べる実施形態では、第二の色空間がＣＭＹＫ色空間である場合に第一の色空間のＣＭＹＫ色空間と区別するため第二の色空間をｃｍｙｋ色空間と表記している。
プロファイル接続空間には、ＣＩＥ Ｌａｂ色空間、ＣＩＥ ＸＹＺ色空間、等といった色空間が含まれる。
尚、調整点の座標は、第一の色空間の第一座標値で表されてもよいし、第二の色空間の第二座標値で表されてもよいし、プロファイル接続空間の第三座標値で表されてもよい。
上述した付言は、以下の態様も同様である。
尚、上記態様７には含まれないが、調整対象プロファイル指定工程が無い場合も本技術に含まれる。
【００２５】
［態様８］
図２７等に例示するように、前記誤差要因判別工程ＳＴ７では、プロファイル接続空間ＣＳ３の第三座標値と出力デバイス（例えばプリンター２００）に依存する第二の色空間ＣＳ２の第二座標値との対応関係を規定した出力プロファイル６２０と、前記調整点Ｐ０の座標と、に基づいて前記調整点Ｐ０が前記出力デバイス（２００）の色再現域外にあるか否かを判断してもよい。前記出力工程ＳＴ８では、前記調整点Ｐ０が前記出力デバイス（２００）の色再現域外にあると判断された場合に前記要因ＤＡ１として前記調整点Ｐ０が前記出力デバイス（２００）の色再現域外にある旨を出力してもよい。本態様の場合、ユーザーは、調整点Ｐ０が出力デバイス（２００）の色再現域外にある場合にその旨を誤差の要因ＤＡ１として知ることができる。従って、本態様は、プロファイルの調整をさらに容易にする技術を提供することができる。
【００２６】
［態様９］
図２７，２８等に例示するように、前記誤差要因判別工程ＳＴ７では、前記プロファイル５００の入力色空間ＣＳ４において同じ格子点ＧＤ０の出力座標値を調整対象としている複数の前記調整点Ｐ０の有無を判断してもよい。前記出力工程ＳＴ８では、前記誤差要因判別工程ＳＴ７において有と判断された場合に前記要因ＤＡ１として調整点Ｐ０同士が近傍にある旨を出力してもよい。本態様の場合、ユーザーは、調整点Ｐ０同士が近傍にある場合にその旨を誤差の要因ＤＡ１として知ることができる。従って、本態様は、プロファイルの調整をさらに容易にする技術を提供することができる。
【００２７】
［態様１０］
図１２等に例示するように、本プロファイル調整方法は、前記調整点Ｐ０の座標に基づく複数の色のパッチＰＡを有し、該複数のパッチＰＡが同じ出力色の複数の特定パッチＰＡ０を含むカラーチャートＣＨ１の出力処理を行うカラーチャート出力工程ＳＴ２をさらに含んでもよい。また、本プロファイル調整方法は、前記複数の特定パッチＰＡ０のそれぞれの測色値を取得する特定パッチ測色値取得工程ＳＴ３１をさらに含んでもよい。図２７等に示すように、前記誤差要因判別工程ＳＴ７では、前記特定パッチ測色値取得工程ＳＴ３１において取得された複数の測色値のばらつきＤが所定の許容範囲（例えば閾値Ｄｔｈ）を超えているか否かを判断してもよい。前記出力工程ＳＴ８では、前記ばらつきＤが前記許容範囲（Ｄｔｈ）を超えていると判断された場合に前記要因ＤＡ１としてパッチＰＡの測色値のばらつきＤが大きい旨を出力してもよい。本態様の場合、ユーザーは、パッチＰＡの測色値のばらつきＤが大きい場合にその旨を誤差の要因ＤＡ１として知ることができる。従って、本態様は、プロファイルの調整をさらに容易にする技術を提供することができる。
【００２８】
［態様１１］
図２３，２６，３０Ａ〜３０Ｃ等に例示するように、前記出力工程ＳＴ８では、前記誤差要因判別工程ＳＴ７による判別対象の要因ＤＡ１のそれぞれについて、該要因ＤＡ１と、前記誤差への該要因ＤＡ１に対応する対策ＤＡ２と、を対応付けた情報テーブル（例えば誤差要因対策テーブルＴＡ）から、前記誤差要因判別工程ＳＴ７において判別された要因ＤＡ１、及び、前記誤差への該判別された要因ＤＡ１に対応する対策ＤＡ２を読み出して出力してもよい。この態様は、プロファイルの調整を容易にする好適な技術を提供することができる。
【００２９】
［態様１２］
ところで、本技術の一態様に係るプロファイル調整プログラムＰＲ０は、態様１の各工程に対応する機能、すなわち、誤差要因判別工程ＳＴ７に対応する誤差要因判別機能ＦＵ７、及び、出力工程ＳＴ８に対応する出力機能ＦＵ８をコンピューターに実現させる。本態様は、色空間の座標値の変換に使用するプロファイルの調整を容易にするプロファイル調整プログラムを提供することができる。本プロファイル調整プログラムＰＲ０は、目標受付工程ＳＴ４に対応する目標受付機能ＦＵ４、プロファイル調整工程ＳＴ５に対応するプロファイル調整機能ＦＵ５、カラーチャート出力工程ＳＴ２に対応するカラーチャート出力機能ＦＵ２、測色値取得工程ＳＴ３に対応する測色値取得機能ＦＵ３、誤差取得工程ＳＴ６に対応する誤差取得機能ＦＵ６、調整対象プロファイル指定工程ＳＴ１に対応する調整対象プロファイル指定機能ＦＵ１、及び、特定パッチ測色値取得工程ＳＴ３１に対応する特定パッチ測色値取得機能ＦＵ３１をコンピューターに実現させてもよい。
【００３０】
［態様１３］
また、本技術の一態様に係るプロファイル調整装置（例えばホスト装置１００）は、態様１の各工程に対応するユニット、すなわち、誤差要因判別工程ＳＴ７に対応する誤差要因判別部Ｕ７、及び、出力工程ＳＴ８に対応する出力部Ｕ８を含む。本態様は、色空間の座標値の変換に使用するプロファイルの調整を容易にするプロファイル調整装置を提供することができる。本プロファイル調整装置（１００）は、目標受付工程ＳＴ４に対応する目標受付部Ｕ４、プロファイル調整工程ＳＴ５に対応するプロファイル調整部Ｕ５、カラーチャート出力工程ＳＴ２に対応するカラーチャート出力部Ｕ２、測色値取得工程ＳＴ３に対応する測色値取得部Ｕ３、誤差取得工程ＳＴ６に対応する誤差取得部Ｕ６、調整対象プロファイル指定工程ＳＴ１に対応する調整対象プロファイル指定部Ｕ１、及び、特定パッチ測色値取得工程ＳＴ３１に対応する特定パッチ測色値取得部Ｕ３１を含んでもよい。
【００３１】
さらに、本技術は、プロファイル調整装置の制御方法、プロファイル調整装置を含む複合システム、複合システムの制御方法、プロファイル調整装置の制御プログラム、複合システムの制御プログラム、プロファイル調整プログラムや前記制御プログラムを記録したコンピューター読み取り可能な媒体、等に適用可能である。前述の装置は、分散した複数の部分で構成されてもよい。
【００３２】
（２）プロファイル調整システムの構成の具体例：
図１は、プロファイル調整装置を含むプロファイル調整システムの構成例を模式的に示している。図１に示すホスト装置１００（プロファイル調整装置の例）は、ＣＰＵ（Central Processing Unit）１１１、ＲＯＭ（Read Only Memory）１１２、ＲＡＭ（Random Access Memory）１１３、記憶装置１１４、表示装置１１５、入力装置１１６、音声出力装置１１７、通信Ｉ／Ｆ（インターフェイス）１１８、測色装置用Ｉ／Ｆ １１９、等が接続されて互いに情報を入出力可能とされている。尚、ＲＯＭ１１２とＲＡＭ１１３と記憶装置１１４はメモリーであり、少なくともＲＯＭ１１２とＲＡＭ１１３は半導体メモリーである。
【００３３】
記憶装置１１４は、図示しないＯＳ（オペレーティングシステム）、プロファイル調整プログラムＰＲ０、等を記憶している。これらは、適宜、ＲＡＭ１１３に読み出され、プロファイル５００の調整処理に使用される。ここで、プロファイル５００は、入力プロファイル６１０、出力プロファイル６２０、及び、デバイスリンクプロファイル６３０を総称している。ＲＡＭ１１３と記憶装置１１４の少なくとも一方には、各種情報、例えば、入力プロファイル６１０、出力プロファイル６２０、デバイスリンクプロファイル６３０、誤差要因対策テーブルＴＡ（情報テーブルの例）、図示しない調整履歴、等が格納される。記憶装置１１４には、フラッシュメモリー等の不揮発性半導体メモリー、ハードディスク等の磁気記憶装置、等を用いることができる。
【００３４】
表示装置１１５には、液晶表示パネル等を用いることができる。入力装置１１６には、ポインティングデバイス、キーボードを含むハードキー、表示パネルの表面に貼り付けられたタッチパネル、等を用いることができる。音声出力装置１１７には、音声を表す電気信号をスピーカーで音声に変換して出力する装置等を用いることができる。通信Ｉ／Ｆ １１８は、プリンター２００の通信Ｉ／Ｆ ２１０に接続され、プリンター２００に対して印刷データ等といった情報を入出力する。測色装置用Ｉ／Ｆ １１９は、測色装置１２０に接続され、測色装置１２０から測色値を含む測色データを入手する。Ｉ／Ｆ １１８，１１９，２１０の規格には、ＵＳＢ（Universal Serial Bus）、近距離無線通信規格、等を用いることができる。通信Ｉ／Ｆ １１８，１１９，２１０の通信は、有線でもよいし、無線でもよく、ＬＡＮ（Local Area Network）やインターネット等といったネットワーク通信でもよい。
測色装置１２０は、カラーチャートが形成される媒体の例である被印刷物（print substrate）に形成された各カラーパッチを測色して測色値を出力可能である。パッチは、色票とも呼ばれる。測色値は、例えば、ＣＩＥ Ｌａｂ色空間における明度Ｌ及び色度座標ａ，ｂを表す値とされる。ホスト装置１００は、測色装置１２０から測色データを取得して各種処理を行う。
【００３５】
図１に示すプロファイル調整プログラムＰＲ０は、調整対象プロファイル指定機能ＦＵ１、カラーチャート出力機能ＦＵ２、特定パッチ測色値取得機能ＦＵ３１を含む測色値取得機能ＦＵ３、目標受付機能ＦＵ４、プロファイル調整機能ＦＵ５、誤差取得機能ＦＵ６、誤差要因判別機能ＦＵ７、及び、出力機能ＦＵ８をホスト装置１００に実現させる。
【００３６】
尚、ホスト装置１００には、パーソナルコンピューター（タブレット型端末を含む。）といったコンピューター等が含まれる。ホスト装置１００は、一つの筐体内に全構成要素１１１〜１１９を有してもよいが、互いに通信可能に分割された複数の装置で構成されてもよい。また、測色装置とプリンターの少なくとも一方がホスト装置１００にあっても、本技術を実施可能である。
【００３７】
図１に示すプリンター２００（出力デバイスの例）は、色材としてＣ（シアン）インク、Ｍ（マゼンタ）インク、Ｙ（イエロー）インク、及び、Ｋ（ブラック）インクを記録ヘッド２２０から吐出（噴射）して印刷データに対応する出力画像ＩＭ０を形成するインクジェットプリンターであるものとする。記録ヘッド２２０は、インクカートリッジＣｃ，Ｃｍ，Ｃｙ，ＣｋからそれぞれＣＭＹＫ（シアン、マゼンタ、イエロー、及び、ブラック）のインクが供給され、ノズルＮｃ，Ｎｍ，Ｎｙ，ＮｋからそれぞれＣＭＹＫのインク滴２８０を吐出する。インク滴２８０が被印刷物ＭＥ１に着弾すると、インクドットが被印刷物ＭＥ１に形成される。その結果、被印刷物ＭＥ１上に出力画像ＩＭ０を有する印刷物が得られる。
【００３８】
（３）カラーマネジメントシステムの具体例：
次に、図２を参照して、本技術を適用可能なカラーマネジメントシステムの例を説明する。
図２に示すカラーマネジメントシステムは、印刷原稿データＤ０をＲＩＰ（Raster Image Processor）４００で印刷色ｃｍｙｋp（シアン、マゼンタ、イエロー、及び、ブラック）を表す出力データに変換してインクジェットプリンター２００に印刷物を形成させる。印刷原稿データＤ０は、色合わせのターゲット装置の例であるターゲット印刷機３００のＣＭＹＫのインク（色材）で目標とする色（目標色Ｃt）を再現するためのプロセスカラーＣＭＹＫinを表す。印刷原稿データＤ０には、カラーライブラリーの色名も指定可能である。カラーライブラリーには、例えば、Pantone（登録商標）カラーライブラリー等を使用可能である。
【００３９】
ターゲット印刷機３００は、オフセット印刷機であるものとするが、グラビア印刷機、フレキソ印刷機、等でもよい。目標色Ｃtは、例えば、ＣＩＥ Ｌａｂ色空間の座標値（Ｌａｂ値）で表される。図２には、ターゲット印刷機３００が被印刷物に目標色Ｃtを表すカラーチャートＣＨ０を印刷し、測色装置がカラーチャートＣＨ０の各パッチを測色して測色値ＬａｂOrを取得する様子が示されている。プロセスカラーＣＭＹＫinは、ターゲット印刷機３００で使用されるＣＭＹＫのインクの使用量に対応し、ターゲット印刷機３００に依存するＣＭＹＫ色空間の座標を表す。
【００４０】
ＲＩＰ４００は、入力プロファイル６１０、出力プロファイル６２０、及び、カラーライブラリー６４０を有している。入力プロファイル６１０は、ターゲット印刷機３００で使用されるインクの色特性を記述したファイルである。出力プロファイル６２０は、インクジェットプリンター２００で使用されるインクの色特性を記述したファイルである。両プロファイル６１０，６２０には、例えば、ＩＣＣプロファイルのデータフォーマットを用いることができる。印刷原稿データＤ０のプロセスカラーＣＭＹＫinは、入力プロファイル６１０のＡ２Ｂテーブルに従ってＬａｂ色空間の色Ｌａｂpcsに変換され、出力プロファイル６２０のＢ２Ａテーブルに従って印刷色ｃｍｙｋpに変換される。プリンター２００がＣＭＹＫの計４色のインクを使用する場合、印刷色ｃｍｙｋpは、プリンター２００に出力され、印刷物に再現される。図２には、プリンター２００が被印刷物に印刷色ｃｍｙｋpを表すカラーチャートＣＨ１を印刷し、測色装置がカラーチャートＣＨ１の各パッチを測色して測色値Ｌａｂpを取得する様子が示されている。プリンター２００がＬｃ（ライトシアン）、Ｌｍ（ライトマゼンタ）、Ｄｙ（ダークイエロー）、Ｌｋ（ライトブラック）、等のインクも使用する場合、ＲＩＰ４００又はプリンター２００が印刷色ｃｍｙｋpを濃色と淡色に分版すると、プリンター２００が印刷色ｃｍｙｋpを印刷物に再現することができる。むろん、印刷色自体も、ＣＭＹＫの計４色に限定されない。
また、印刷原稿データＤ０に色名が設定されている場合、ＲＩＰ４００は、カラーライブラリー６４０を参照して色名をＬａｂ色空間の色Ｌａｂpcsに変換することがある。
【００４１】
尚、ＲＩＰ４００は、プロセスカラーＣＭＹＫin以外にも、減法混色となる三原色ＣＭＹのみの色材の使用量を表すプロセスカラー（ＣＭＹinとする。）、加法混色となる三原色Ｒ（赤）、Ｇ（緑）、及び、Ｂ（青）の強度を表すプロセスカラー（ＲＧＢinとする。）、等とＬａｂ色空間の座標値とを変換するための入力プロファイルも有している。従って、ＲＩＰ４００は、プロセスカラーＣＭＹinやプロセスカラーＲＧＢin等もＬａｂ色空間経由で印刷色ｃｍｙｋpに変換可能である。加えて、ＲＩＰ４００は、Ｌａｂ色空間の色Ｌａｂpcsを入力して印刷色ｃｍｙｋpに変換することも可能である。
【００４２】
以上により、インクジェットプリンター２００でターゲット印刷機３００の色に近い色を再現することができる。しかし、実際には、プロファイルの誤差、色測定誤差、プリンターの変動、等により、期待する色が再現できない場合がある。このような場合、プロファイル６１０，６２０を修正することにより、対象の色の変換精度を上げている。出力プロファイル６２０を修正する場合、ＰＣＳ（プロファイル接続空間）でのＬａｂpcs値を目標値とし、プリンター２００で印刷した色を測色した結果（Ｌａｂp）を現在値として、両者の色差を計算し、この色差を少なくするように出力プロファイル６２０を修正することが考えられる。また、入力プロファイル６１０を修正する場合、カラーチャートのデータを入力プロファイル６１０と出力プロファイル６２０とで変換してカラーチャートを印刷し、各パッチの測色結果（Ｌａｂp）と目標色彩値（ＬａｂOr）との色差を計算し、この色差を少なくするように入力プロファイル６１０を修正することが考えられる。
尚、図２には、測色の代わりに、印刷色ｃｍｙｋpを出力プロファイル６２０のＢ２Ａテーブルに従ってシミュレーション色彩値Ｌａｂsに変換することも示している。また、図２には、カラーチャートＣＨ１から目標として選択されたパッチのデバイスカラー値ｃｍｙｋp_tを出力プロファイル６２０のＢ２Ａテーブルに従って目標色彩値Ｌａｂp_tに変換することも示している。
【００４３】
ただ、以下の理由によって期待する色が得られなかったり、手間がかかったりする場合がある。
理由１．印刷した結果を測色する必要があるので、測定機が必要であり、目視での色合わせに対応することができない。
理由２．入力プロファイル６１０を修正する場合、色差の計算結果を入力プロファイル６１０にフィードバックしている。しかし、誤差の原因が出力プロファイル６２０にあると考えられる場合、他の入力プロファイルについても修正する必要がある。（この場合、計算結果を出力プロファイル６２０にフィードバックして出力プロファイル６２０を修正することにより、他の出力プロファイルを修正する必要が無くなる。）
理由３．色差を目安としてプロファイルを調整しようとしても、実際には思い通りに色差を低減させることができない場合がある。この場合、ユーザーは、どのようにプロファイルを調整すればよいのか分からないことがある。
【００４４】
本具体例では、プロファイル調整プログラムＰＲ０が実現させる機能ＦＵ１〜ＦＵ８により、色空間の座標値の変換に使用するプロファイルの調整を容易にし、さらに高い色再現精度や階調性を実現させている。
【００４５】
（４）プロファイルの具体例：
図３は、プロファイル６１０，６２０，６３０の関係を模式的に例示している。
図３に示すように、入力プロファイル６１０は、ターゲット印刷機３００の使用インクに合わせたＣＭＹＫ色空間（第一の色空間ＣＳ１の例）のＣＭＹＫ値（Ｃi，Ｍi，Ｙi，Ｋi）と、Ｌａｂ色空間（ＰＣＳ（プロファイル接続空間）ＣＳ３の例）のＬａｂ値（Ｌi，ａi，ｂi）と、の対応関係を規定したデータである。この場合のＡ２Ｂテーブルの格子点ＧＤ１は、通常、ＣＭＹＫ色空間にＣ軸方向、Ｍ軸方向、Ｙ軸方向、及び、Ｋ軸方向へ略等間隔となるように並べられる。尚、ここでの変数ｉは、ＣＭＹＫ色空間（ＣＳ１）に設定された格子点ＧＤ１を識別する変数である。ＣＭＹＫ値は、第一座標値の例である。Ｌａｂ値は、第三座標値の例である。入力プロファイル６１０において、ＣＭＹＫ色空間（ＣＳ１）は入力色空間ＣＳ４の例であり、Ｌａｂ色空間（ＣＳ３）は出力色空間ＣＳ５の例である。
【００４６】
出力プロファイル６２０は、Ｌａｂ色空間（ＣＳ３）のＬａｂ値（Ｌj，ａj，ｂj）と、インクジェットプリンター２００の使用インクに合わせたｃｍｙｋ色空間（第二の色空間ＣＳ２の例）のｃｍｙｋ値（ｃj，ｍj，ｙj，ｋj）と、の対応関係を規定したデータである。この場合のＢ２Ａテーブルの格子点ＧＤ２は、通常、Ｌａｂ色空間にＬ軸方向、ａ軸方向、及び、ｂ軸方向へ略等間隔となるように並べられる。尚、ここでの変数ｊは、Ｌａｂ色空間（ＣＳ３）に設定された格子点ＧＤ２を識別する変数である。「ｃｍｙｋ色空間」と表現しているのは、プリンター２００の使用インクに合わせた色空間をターゲット印刷機３００に合わせた色空間と区別するためである。ｃｍｙｋ値は、第二座標値の例である。出力プロファイル６２０において、Ｌａｂ色空間（ＣＳ３）は入力色空間ＣＳ４の例であり、ｃｍｙｋ色空間（ＣＳ２）は出力色空間ＣＳ５の例である。
【００４７】
デバイスリンクプロファイル６３０は、ＣＭＹＫ色空間（ＣＳ１）のＣＭＹＫ値（Ｃi，Ｍi，Ｙi，Ｋi）と、ｃｍｙｋ色空間（ＣＳ２）のｃｍｙｋ値（ｃi，ｍi，ｙi，ｋi）と、の対応関係を規定したデータである。ここでの変数ｉは、ＣＭＹＫ色空間（ＣＳ１）に設定された格子点ＧＤ１を識別する変数である。デバイスリンクプロファイル６３０は、入力プロファイル６１０と出力プロファイル６２０とを結合することにより得られる。入力プロファイル６１０において、ＣＭＹＫ色空間（ＣＳ１）は入力色空間ＣＳ４の例であり、ｃｍｙｋ色空間（ＣＳ２）は出力色空間ＣＳ５の例である。
【００４８】
図４は、プロファイル５００の構造を模式的に例示している。図４に示すプロファイル５００は、ＩＣＣプロファイルであり、プロファイルヘッダー５１０とタグテーブル５２０を含む。プロファイル５００には、ＰＣＳと機器従属色空間（device dependent color space）との間でカラー情報を変換するために必要な情報であるタグ（tag）５２１が含まれている。タグ５２１には、プロファイル５００をカスタマイズするためのプライベートタグ５２３が含まれてもよい。
【００４９】
デバイス（３００，２００）用のA2Bxタグ（図４に示すｘは０、１、又は、２）は、エレメントデータ５３０として、機器従属色空間（ＣＭＹＫ色空間、ｃｍｙｋ色空間）からＬａｂ色空間に変換するための色変換テーブルを含んでいる。デバイス（３００，２００）用のB2Axタグは、エレメントデータ５３０として、Ｌａｂ色空間から機器従属色空間（ＣＭＹＫ色空間、ｃｍｙｋ色空間）に変換するための色変換テーブルを含んでいる。
【００５０】
図４に示すA2B0タグ、及び、B2A0タグは、知覚的（Perceptual）な色変換を行うための情報である。知覚的な色変換は、階調再現を重視しているので、主に、色域の広い写真画像の変換に用いられる。図４に示すA2B1タグ、及び、B2A1タグは、相対的で測色的（Media-Relative Colorimetric）な色変換、又は、絶対的で測色的（Absolute Colorimetric）な色変換を行うための情報である。測色的な色変換は、測色値に忠実であるので、主に、正確な色の一致が求められるデジタルプルーフの色校正出力用の変換に用いられる。図４に示すA2B2タグ、及び、B2A2タグは、彩度重視（Saturation）の色変換を行うための情報である。彩度重視の色変換は、色味の正確さよりも色の鮮やかさ重視しているので、主に、ビジネスグラッフィクスでのグラフ表示等の変換に用いられる。
【００５１】
（５）プロファイル調整システムで行われるプロファイル調整処理の具体例：
図５は、図１に示すホスト装置１００で行われるプロファイル調整処理の例を示している。尚、この処理の後に行われる誤差要因対策出力処理（図２３参照）は、後述する。図６は、図５のステップＳ１０２で行われるプロファイル及びパラメーター設定処理の例を示している。むろん、これらの処理は、順番を入れ替える等、適宜、変更可能である。図７は、図６のステップＳ２０２で表示されるＵＩ（ユーザーインターフェイス）画面８００の例を示している。ホスト装置１００は、マルチタスクにより複数の処理を並列して実行している。ここで、図６のステップＳ２１２は、調整対象プロファイル指定工程ＳＴ１、調整対象プロファイル指定機能ＦＵ１、及び、調整対象プロファイル指定部Ｕ１に対応している。図６のステップＳ２１４は、カラーチャート出力工程ＳＴ２、カラーチャート出力機能ＦＵ２、カラーチャート出力部Ｕ２、測色値取得工程ＳＴ３、測色値取得機能ＦＵ３、測色値取得部Ｕ３、目標受付工程ＳＴ４、目標受付機能ＦＵ４、及び、目標受付部Ｕ４に対応している。図５のステップＳ１０４〜Ｓ１２０は、プロファイル調整工程ＳＴ５、プロファイル調整機能ＦＵ５、及び、プロファイル調整部Ｕ５に対応している。以下、「ステップ」の記載を省略する。
【００５２】
図５に示すプロファイル調整処理が開始されると、ホスト装置１００は、図６に示すプロファイル及びパラメーター設定処理を行う（Ｓ１０２）。このプロファイル及びパラメーター設定処理が開始されると、ホスト装置１００は、図７に示すＵＩ画面８００を表示装置１１５に表示する（図６のＳ２０２）。ＵＩ画面８００は、入力プロファイル選択欄８１１、出力プロファイル選択欄８１２、デバイスリンクプロファイル選択欄８１３、調整対象プロファイル指定欄８２０、調整対象色空間選択欄８３０、目標受付領域８４０、「画像から指定」ボタン８４１、追加ボタン８４２、削除ボタン８４３、調整データ選択欄８４５、チャート印刷ボタン８４６、測色ボタン８４７、調整範囲指定欄８５０、インテント指定欄８６０、調整実施ボタン８７０、履歴ロードボタン８８１、及び、履歴セーブボタン８８２を有している。
【００５３】
ホスト装置１００は、上述した欄、及び、ボタンへの操作を入力装置１１６により受け付け（Ｓ２１０）、調整実施ボタン８７０への操作を受け付けるとプロファイル及びパラメーター設定処理を終了させる。Ｓ２１０の処理は、以下の処理Ｓ２１１〜Ｓ２１６を含んでいる。
（Ｓ２１１）ＣＭＹＫ値からｃｍｙｋ値への変換に使用するプロファイルの組合せと、ＣＭＹＫ値からｃｍｙｋ値への変換に使用する調整対象プロファイル５５０としての一つのプロファイルと、のいずれか一方の選択を受け付ける処理。
（Ｓ２１２）プロファイル６１０，６２０，６３０の中からいずれか一つを調整対象プロファイル５５０として受け付ける処理。
（Ｓ２１３）ＣＭＹＫ色空間（ＣＳ１）、ｃｍｙｋ色空間（ＣＳ２）、及び、Ｌａｂ色空間（ＣＳ３）の内の２種類以上の色空間の中からいずれか一つを調整対象色空間ＣＳ６として受け付ける処理。
（Ｓ２１４）カラーチャートＣＨ１（図１２，１３参照）の出力処理、及び、パッチＰＡの測色値の取得処理を含み、調整点Ｐ０（調整対象の色の例）を表す座標における調整の目標Ｔ０の入力を受け付ける処理。
（Ｓ２１５）ＣＭＹＫ色空間（ＣＳ１）において調整対象プロファイル５５０のうち目標Ｔ０に基づいて調整する調整範囲の指定を受け付ける処理。
（Ｓ２１６）調整対象プロファイル５５０の対応関係を規定するための複数のレンダリングインテントの中からいずれか一つを指定インテントとして受け付ける処理。
【００５４】
まず、図７，８Ａ〜８Ｄ、１４Ａ〜１４Ｅを参照して、Ｓ２１１の処理を説明する。ここで、図１４Ａ〜１４Ｅにおいて太線で囲まれた要素は調整対象プロファイル５５０を示している。図１４Ｃに示すデバイスリンクプロファイル６３０において、調整対象はデバイスリンクテーブルであり、「元のＡ２Ｂ」は元の入力プロファイルを示し、「元のＢ２Ａ」は出力プロファイルを示している。
ホスト装置１００は、選択欄８１１〜８１３への操作を入力装置１１６により受け付けることにより、記憶装置１１４に記憶されているプロファイル５００の中からプロファイルの選択操作を受け付ける。
【００５５】
入力プロファイル選択欄８１１では、入力プロファイル６１０を色変換に使用する場合に記憶装置１１４に記憶されている入力プロファイル６１０の中から色変換に使用する入力プロファイルを選択可能である。入力プロファイル６１０を色変換に使用しない場合、入力プロファイル選択欄８１１を空欄にしておけばよい。
出力プロファイル選択欄８１２では、出力プロファイル６２０を色変換に使用する場合に記憶装置１１４に記憶されている出力プロファイル６２０の中から色変換に使用する出力プロファイルを選択可能である。出力プロファイル６２０を色変換に使用しない場合、出力プロファイル選択欄８１２を空欄にしておけばよい。
デバイスリンクプロファイル選択欄８１３では、デバイスリンクプロファイル６３０を色変換に使用する場合に記憶装置１１４に記憶されているデバイスリンクプロファイル６３０の中から色変換に使用するデバイスリンクプロファイルを選択可能である。デバイスリンクプロファイル６３０を色変換に使用しない場合、デバイスリンクプロファイル選択欄８１３を空欄にしておけばよい。
【００５６】
図８Ａに示すように入力プロファイル選択欄８１１のみにおいて入力プロファイル６１０が選択された場合、図１４Ａに示すように入力プロファイル６１０のみ色変換に使用することになり、自動的に入力プロファイル６１０が調整対象プロファイル５５０となる。この場合、ＣＭＹＫ値が第一座標値に当てはまり、Ｌａｂ値が第二座標値に当てはまる。
図８Ｂに示すように出力プロファイル選択欄８１２のみにおいて出力プロファイル６２０が選択された場合、図１４Ｂに示すように出力プロファイル６２０のみ色変換に使用することになり、自動的に出力プロファイル６２０が調整対象プロファイル５５０となる。この場合、Ｌａｂ値が第一座標値に当てはまり、ｃｍｙｋ値が第二座標値に当てはまる。
図８Ｃに示すようにデバイスリンクプロファイル選択欄８１３のみにおいてデバイスリンクプロファイル６３０が選択された場合、図１４Ｃに示すようにデバイスリンクプロファイル６３０を色変換に使用することになり、自動的にデバイスリンクプロファイル６３０（具体的には内部のデバイスリンクテーブル）が調整対象プロファイル５５０となる。この場合、ＣＭＹＫ値が第一座標値に当てはまり、ｃｍｙｋ値が第二座標値に当てはまる。
図８Ｄに示すように入力プロファイル選択欄８１１において入力プロファイル６１０が選択され、さらに、出力プロファイル選択欄８１２において出力プロファイル６２０が選択された場合、図１４Ｄ，１４Ｅに示すように入力プロファイル６１０と出力プロファイル６２０とを組み合わせて色変換に使用することになる。この場合、ＣＭＹＫ値が第一座標値に当てはまり、ｃｍｙｋ値が第二座標値に当てはまる。
【００５７】
以上より、選択欄８１１〜８１３において色変換に使用するプロファイルの組合せと、色変換に使用する調整対象プロファイル５５０としての一つのプロファイルと、のいずれか一方が選択される。
【００５８】
次に、図７，９Ａ〜９Ｄ等を参照して、Ｓ２１２の処理を説明する。
ホスト装置１００は、上述した選択欄８１１〜８１３における選択に応じて調整対象プロファイル指定欄８２０の指定項目を変える処理を行っている。
【００５９】
図８Ａに示すように入力プロファイル選択欄８１１のみにおいて入力プロファイル６１０が選択された場合、図９Ａに示すように調整対象プロファイル指定欄８２０には調整対象として入力プロファイル６１０しか指定することができない。
図８Ｂに示すように出力プロファイル選択欄８１２のみにおいて出力プロファイル６２０が選択された場合、図９Ｂに示すように調整対象プロファイル指定欄８２０には調整対象として出力プロファイル６２０しか指定することができない。
図８Ｃに示すようにデバイスリンクプロファイル選択欄８１３のみにおいてデバイスリンクプロファイル６３０が選択された場合、図９Ｃに示すように調整対象プロファイル指定欄８２０には調整対象としてデバイスリンクプロファイル６３０しか指定することができない。
【００６０】
図８Ｄに示すように入力プロファイル選択欄８１１において入力プロファイル６１０が選択され、さらに、出力プロファイル選択欄８１２において出力プロファイル６２０が選択された場合、図９Ｄに示すように調整対象プロファイル指定欄８２０において複数の指定項目の中からいずれか一つの指定項目を選択可能である。複数の指定項目には、入力プロファイル６１０、出力プロファイル６２０、及び、デバイスリンクプロファイル６３０が含まれる。図９Ｄには入力プロファイル６１０が選択されていることが示されている。この場合は、図１４Ｄに示す「（ｂ−１）入出力プロファイルを組み合わせて入力プロファイルを指定」に相当する。調整対象プロファイル指定欄８２０において出力プロファイル６２０が選択された場合は、図１４Ｅに示す「（ｂ−２）入出力プロファイルを組み合わせて出力プロファイルを指定」に相当する。調整対象プロファイル指定欄８２０においてデバイスリンクプロファイル６３０が選択された場合は、図１４Ｃに示す「（ａ−３）デバイスリンクプロファイルを選択」に当てはめることにする。
【００６１】
以上より、入力プロファイル６１０と出力プロファイル６２０の組合せが選択された場合に調整対象プロファイル指定欄８２０においてプロファイル６１０，６２０，６３０の中からいずれか一つが調整対象プロファイル５５０として指定される。
【００６２】
尚、調整対象プロファイル指定欄８２０には調整対象として入力プロファイル６１０と出力プロファイル６２０とデバイスリンクプロファイル６３０のいずれも選択可能として、この選択に応じて上述した選択欄８１１〜８１３への操作の有効又は無効を制御してもよい。
【００６３】
さらに、図７，１０Ａ〜１０Ｃ等を参照して、Ｓ２１３の処理を説明する。
ホスト装置１００は、上述した選択欄８１１〜８１３における選択に応じて調整対象色空間選択欄８３０の選択項目を変える処理を行っている。
【００６４】
図８Ａに示すように入力プロファイル選択欄８１１のみにおいて入力プロファイル６１０が選択された場合、図１０Ａに示すように調整対象色空間選択欄８３０において複数の選択項目のうち一つの選択項目を指定可能である。この場合の複数の選択項目には、「入力データ」と「ＰＣＳ値」が含まれる。「入力データ」は、ＣＭＹＫ色空間（第一の色空間ＣＳ１及び入力色空間ＣＳ４の例）を調整対象色空間ＣＳ６（図１６Ａ参照）として選択する項目である。「ＰＣＳ値」は、Ｌａｂ色空間（ＰＣＳ ＣＳ３及び出力色空間ＣＳ５の例）を調整対象色空間ＣＳ６（図１６Ｂ参照）として選択する項目である。
図８Ｂに示すように出力プロファイル選択欄８１２のみにおいて出力プロファイル６２０が選択された場合、図１０Ｂに示すように調整対象色空間選択欄８３０において複数の選択項目のうち一つの選択項目を指定可能である。この場合の複数の選択項目には、「ＰＣＳ値」と「出力データ」が含まれる。「ＰＣＳ値」は、Ｌａｂ色空間（ＰＣＳ ＣＳ３及び入力色空間ＣＳ４の例）を調整対象色空間ＣＳ６（図１６Ｃ参照）として選択する項目である。「出力データ」は、ｃｍｙｋ色空間（第二の色空間ＣＳ２及び出力色空間ＣＳ５の例）を調整対象色空間ＣＳ６（図１６Ｄ参照）として選択する項目である。
【００６５】
図８Ｄに示すように入力プロファイル選択欄８１１において入力プロファイル６１０が選択され、さらに、出力プロファイル選択欄８１２において出力プロファイル６２０が選択された場合、図１０Ｃに示すように調整対象色空間選択欄８３０において複数の選択項目の中からいずれか一つの選択項目を指定可能である。この場合の複数の選択項目には、「入力データ」と「出力データ」と「ＰＣＳ値」が含まれる。「入力データ」は、ＣＭＹＫ色空間（第一の色空間ＣＳ１、及び、入力プロファイル６１０における入力色空間ＣＳ４の例）を調整対象色空間ＣＳ６（図１７Ａ参照）として選択する項目である。「出力データ」は、ｃｍｙｋ色空間（第二の色空間ＣＳ２、及び、出力プロファイル６２０における出力色空間ＣＳ５の例）を調整対象色空間ＣＳ６（図１７Ｂ参照）として選択する項目である。「ＰＣＳ値」は、Ｌａｂ色空間（ＰＣＳ ＣＳ３、入力プロファイル６１０における出力色空間ＣＳ５、及び、出力プロファイル６２０における入力色空間ＣＳ４の例）を調整対象色空間ＣＳ６（図１７Ｃ参照）として選択する項目である。
図８Ｃに示すようにデバイスリンクプロファイル選択欄８１３のみにおいてデバイスリンクプロファイル６３０が選択された場合も、図１０Ｃに示すように調整対象色空間選択欄８３０において「入力データ」と「出力データ」と「ＰＣＳ値」からいずれか一つを指定可能である。
【００６６】
以上より、ＣＭＹＫ色空間（ＣＳ１）、ｃｍｙｋ色空間（ＣＳ２）、及び、Ｌａｂ色空間（ＣＳ３）の内の２種類以上の色空間の中からいずれか一つが調整対象色空間ＣＳ６として選択される。
【００６７】
さらに、図７，１１Ａ，１１Ｂ等を参照して、Ｓ２１４の処理を説明する。
ホスト装置１００は、上述した欄８１１〜８１３，８３０における選択に応じて目標受付領域８４０の入力項目を変える処理を行っている。また、ホスト装置１００は、調整データ選択欄８４５への選択に応じて目標受付領域８４０の入力項目を変える処理を行っている。
【００６８】
図１１Ａに示すように、調整データ選択欄８４５においては、「絶対値」と「相対値」のいずれか一方を選択可能である。「絶対値」は、調整の目標Ｔ０を色空間の座標値として受け付ける選択肢である。「相対値」は、調整の目標Ｔ０を色空間の現在の座標値からの差分として受け付ける選択肢である。
【００６９】
調整データ選択欄８４５において「絶対値」が選択されると、図１１Ｂに示すように、色空間の現在の座標値（C_L，C_a，C_b）の表示欄とともに調整目標Ｔ０の座標値（T_L，T_a，T_b）の入力欄が目標受付領域８４０に表示される。図１１Ｂには、調整対象色空間ＣＳ６としてＬａｂ色空間が選択された場合の例を示している。
調整データ選択欄８４５において「相対値」が選択されると、図７に示すように、色空間の現在の座標値からの差分としての調整目標Ｔ０の座標値（ΔＬ，Δａ，Δｂ）の入力欄が目標受付領域８４０に表示される。図７は、調整対象色空間ＣＳ６としてＬａｂ色空間が選択された場合の例を示している。
【００７０】
図１１Ｃに示すように、調整目標Ｔ０を設定するための調整点Ｐ０は、ＣＭＹＫ色空間（ＣＳ１）に設定される。ここで、ＣＭＹＫ色空間は４次元の色空間であるため、図１１ＣではＣ軸とＭ軸とＹ軸とで形成される３次元の仮想空間を示している。
【００７１】
例えば、ホスト装置１００は、図７，１１Ｂに示すＵＩ画面８００の「画像から指定」ボタン８４１の操作を受け付けると、ＣＭＹＫ色空間（ＣＳ１）を模式的に表す画面を表示装置１１５に表示し、入力装置１１６による操作に応じたＣＭＹＫ値を取得して目標受付領域８４０の情報を更新する。新たな調整点Ｐ０が指定されると、ホスト装置１００は、対応するＩＤ（識別情報）を付与し、取得したＣＭＹＫ値、及び、該ＣＭＹＫ値から求められる出力色空間ＣＳ５の座標値等をＩＤに対応させて目標受付領域８４０に表示する。追加ボタン８４２が操作されると、ホスト装置１００は、ＩＤを追加し、目標受付領域８４０に追加したＩＤに対応する入力欄を増やす。削除ボタン８４３が操作されると、ホスト装置１００は、削除するＩＤの指定を受け付け、指定されたＩＤに対応する入力欄を削除する。
また、ホスト装置１００は、履歴ロードボタン８８１の操作を受け付けると、記憶装置１１４に記憶されている調整履歴を読み出して目標受付領域８４０に追加する。履歴セーブボタン８８２の操作が受け付けられると、ホスト装置１００は、目標受付領域８４０の情報を調整履歴として記憶装置１１４に記憶する。
【００７２】
目標受付領域８４０で受け付けられる調整目標Ｔ０は、調整対象色空間選択欄８３０の選択内容、及び、調整データ選択欄８４５の選択内容に応じて、以下のように変わる。
（選択内容１）調整対象色空間ＣＳ６としてＣＭＹＫ色空間が選択され、調整目標Ｔ０の入力に「絶対値」が選択された場合。この場合、調整目標Ｔ０の入力は、ＣＭＹＫ値（T_C，T_M，T_Y，T_Kとする。）となる。このＣＭＹＫ値は、例えば、０〜１００％で表現される。
（選択内容２）調整対象色空間ＣＳ６としてＣＭＹＫ色空間が選択され、調整目標Ｔ０の入力に「相対値」が選択された場合。この場合、調整目標Ｔ０の入力は、ＣＭＹＫ値の現在値（C_C，C_M，C_Y，C_Kとする。）に対する目標値（T_C，T_M，T_Y，T_K）の差分（ΔＣ，ΔＭ，ΔＹ，ΔＫとする。）となる。
（選択内容３）調整対象色空間ＣＳ６としてＬａｂ色空間が選択され、調整目標Ｔ０の入力に「絶対値」が選択された場合。この場合、調整目標Ｔ０の入力は、Ｌａｂ値（T_L，T_a，T_bとする。）となる。
（選択内容４）調整対象色空間ＣＳ６としてＬａｂ色空間が選択され、調整目標Ｔ０の入力に「相対値」が選択された場合。この場合、調整目標Ｔ０の入力は、Ｌａｂ値の現在値（C_L，C_a，C_bとする。）に対する目標値（T_L，T_a，T_b）の差分（ΔＬ，Δａ，Δｂとする。）となる。
（選択内容５）調整対象色空間ＣＳ６としてｃｍｙｋ色空間が選択され、調整目標Ｔ０の入力に「絶対値」が選択された場合。この場合、調整目標Ｔ０の入力は、ｃｍｙｋ値（T_c，T_m，T_y，T_kとする。）となる。このｃｍｙｋ値は、例えば、０〜１００％で表現される。
（選択内容６）調整対象色空間ＣＳ６としてｃｍｙｋ色空間が選択され、調整目標Ｔ０の入力に「相対値」が選択された場合。この場合、調整目標Ｔ０の入力は、ｃｍｙｋ値の現在値（C_c，C_m，C_y，C_kとする。）に対する目標値（T_c，T_m，T_y，T_k）の差分（Δｃ，Δｍ，Δｙ，Δｋとする。）となる。
【００７３】
ここで、例えば、上記調整対象色空間ＣＳ６がＬａｂ色空間（ＣＳ３）である場合、図１２に例示する印刷物ＰＴ１のように各調整点Ｐ０の色を表すカラーパッチＰＡを有するカラーチャートＣＨ１１を被印刷物ＭＥ１に印刷し、各パッチＰＡを測色装置１２０で測色して得られる測色値Ｌａｂpを現在値C_L，C_a，C_bに反映させてもよい。
また、上記調整対象色空間ＣＳ６がｃｍｙｋ色空間（ＣＳ２）である場合、図１３に例示する印刷物ＰＴ２のように調整点Ｐ０の色を表す現在色パッチＰＡ１を含むカラーパッチＰＡをｃｍｙｋ値とともに有する調色カラーチャートＣＨ１２を被印刷物ＭＥ１に印刷し、選択されたパッチＰＡ２のｃｍｙｋ値を調整目標Ｔ０のＬａｂ値T_L，T_a，T_bに反映させてもよい。
尚、カラーチャートＣＨ１１，ＣＨ１２をカラーチャートＣＨ１と総称する。
【００７４】
例えば、ホスト装置１００は、図７，１１Ｂに示すＵＩ画面８００のチャート印刷ボタン８４６の操作を受け付けると、印刷対象の操作を受け付け、図１２，１３に示すカラーチャートＣＨ１１，ＣＨ１２のいずれかの出力処理を行う。この処理は、カラーチャート出力工程ＳＴ２、カラーチャート出力機能ＦＵ２、及び、カラーチャート出力部Ｕ２に対応している。
【００７５】
図１２に示すカラーチャートＣＨ１１を印刷する場合、ホスト装置１００は、各調整点Ｐ０の座標に基づくｃｍｙｋ値ｃｍｙｋpに従って複数のパッチＰＡを有するカラーチャートＣＨ１１の印刷データを生成してプリンター２００に送信する。この印刷データを受信したプリンター２００は、被印刷物ＭＥ１にカラーチャートＣＨ１１を形成する。図１２に示す複数のパッチＰＡは、同じ出力色の複数の特定パッチＰＡ０を含んでいる。これらの特定パッチＰＡ０は、パッチＰＡの測色値のばらつきＤ（図２７参照）が調整後のプロファイル５００に調整目標Ｔ０からの誤差が生じる要因となるか否かを判別するために用いられる。
【００７６】
図１３に示すカラーチャートＣＨ１２を印刷する場合、ホスト装置１００は、選択された調整点Ｐ０のｃｍｙｋ値ｃｍｙｋp、及び、このｃｍｙｋ値ｃｍｙｋpから段階的に変えたｃｍｙｋ値に従って調色カラーチャートＣＨ１２の印刷データを生成してプリンター２００に送信する。各パッチＰＡには、対応するデバイスカラー値Ｄｃが付加されている。図１３に示すデバイスカラー値Ｄｃはｃｍｙｋ値であり、例えば、ｃ値、ｍ値、ｙ値、及び、ｋ値がそれぞれ５．０、５２．２、５０．３、３．３である場合、デバイスカラー値Ｄｃは「（５．０，５２．２，５０．３，３．３）」と表示される。現在色パッチＰＡ１のデバイスカラー値Ｄｃはｃｍｙｋ値の現在値C_c，C_m，C_y，C_kに対応し、ユーザーにより選択されたパッチＰＡ２のデバイスカラー値Ｄｃは目標Ｔ０のｃｍｙｋ値T_c，T_m，T_y，T_kに対応する。そこで、ユーザーは、目標Ｔ０のｃｍｙｋ値T_c，T_m，T_y，T_kの入力欄に選択パッチＰＡ２のデバイスカラー値Ｄｃを入力すればよい。
以上のようにして、測色値を基準として調整目標Ｔ０が受け付けられる。
【００７７】
また、ホスト装置１００は、図７，１１Ｂに示すＵＩ画面８００の測色ボタン８４７の操作を受け付けると、図１２で示したカラーチャートＣＨ１１の各パッチＰＡの測色値Ｌａｂpを取得する処理を行う。この処理は、測色値取得工程ＳＴ３、測色値取得機能ＦＵ３、及び、測色値取得部Ｕ３に対応している。
【００７８】
ホスト装置１００は、測色ボタン８４７の操作を受け付けると、カラーチャートＣＨ１１の各パッチＰＡの測色を測色装置１２０に指示する。この指示を受信した測色装置１２０は、カラーチャートＣＨ１１の各パッチＰＡを測色し、各パッチＰＡの測色値Ｌａｂpをホスト装置１００に送信する。測色値Ｌａｂpを受信したホスト装置１００は、測色値Ｌａｂpを表示装置１１５に表示してもよいし、プリンター２００に印刷させてもよい。ユーザーは、出力された測色値Ｌａｂpを見て目標受付領域８４０に調整目標Ｔ０を入力することができる。また、ホスト装置１００は、各パッチＰＡの測色値Ｌａｂpを目標Ｔ０の入力欄に自動的に入力してもよい。
以上のようにして、複数のパッチＰＡから選ばれたパッチＰＡ２に対応する色を表す値が調整目標Ｔ０として受け付けられる。
【００７９】
ここで、測色値Ｌａｂpには、複数の特定パッチＰＡ０のそれぞれの測色値も含まれる。特定パッチＰＡ０の測色値を取得する処理は、特定パッチ測色値取得工程ＳＴ３１、特定パッチ測色値取得機能ＦＵ３１、及び、特定パッチ測色値取得部Ｕ３１に対応している。
【００８０】
以上説明したようにして、調整対象色空間ＣＳ６において調整点Ｐ０を表す座標における調整目標Ｔ０が受け付けられる。
【００８１】
さらに、図７等を参照して、Ｓ２１５の処理を説明する。
ホスト装置１００は、調整目標Ｔ０に基づいて調整する調整範囲Ａ０を色空間全体にするか否かの指定を調整範囲指定欄８５０において受け付ける。図７に示す調整範囲指定欄８５０の複数の指定項目には、図示を省略しているが、「入力空間全域」と「半径」とが含まれている。「入力空間全域」が指定された場合、調整範囲Ａ０は色空間全体に設定される。「半径」が指定された場合、ホスト装置１００は、図１１Ｂに示すように目標受付領域８４０の「Radius」の入力欄に調整点Ｐ０を基点とした半径の入力を受け付ける。この半径は、例えば、第一の色空間ＣＳ１におけるユークリッド距離の相対値０〜１００％で表現される。図１１Ｃには、半径（Radius）が指定された場合の調整範囲Ａ０の例が模式的に示されている。
【００８２】
以上より、第一の色空間ＣＳ１において調整対象プロファイル５５０のうち調整範囲Ａ０が指定される。
【００８３】
さらに、図７等を参照して、Ｓ２１６の処理を説明する。
ホスト装置１００は、調整対象プロファイル５５０の対応関係を規定するためのレンダリングインテントの指定をインテント指定欄８６０において受け付ける。図７に示すインテント指定欄８６０の複数の指定項目は、図示を省略しているが、「Perceptual」（知覚的）、「Relative Colorimetric」（相対的測色的）、及び、「Saturation」（彩度重視）の３種類である。むろん、指定項目に「Absolute Colorimetric」（絶対的測色的）が含まれてもよいし、「Perceptual」と「Relative Colorimetric」と「Saturation」の内の一部が指定項目に無くてもよい。図７には、指定インテントとして「Perceptual」が指定されている例が示されている。
【００８４】
以上より、調整対象プロファイル５５０の対応関係を規定するための複数のレンダリングインテントの中からいずれか一つが指定インテントとして受け付けられる。
【００８５】
ホスト装置１００は、図７に示す調整実施ボタン８７０の操作を受け付けると、図６のＳ２１０の処理を終了させ、図５のＳ１０４以降の処理を行う。ここで、インテント指定欄８６０で「Perceptual」（知覚的）が指定された場合、ホスト装置１００は、Ｓ１０４以降の処理においてプロファイル５００のうち図４で示したA2B0タグ、及び、B2A0タグに従った情報を使用する。インテント指定欄８６０で「Relative Colorimetric」（相対的測色的）が指定された場合、ホスト装置１００は、Ｓ１０４以降の処理においてプロファイル５００のうち図４で示したA2B1タグ、及び、B2A1タグに従った情報を使用する。インテント指定欄８６０で「Saturation」（彩度重視）が指定された場合、ホスト装置１００は、Ｓ１０４以降の処理においてプロファイル５００のうち図４で示したA2B2タグ、及び、B2A2タグに従った情報を使用する。
まず、ホスト装置１００は、目標受付領域８４０に入力された各調整点Ｐ０について、プロファイル選択欄８１１〜８１３で指定された色変換用のプロファイル（プロファイルの組合せを含む。）に従って現在の出力値CurrentOutを求める（Ｓ１０４）。これは、被印刷物ＭＥ１に形成される出力画像ＩＭ０の色に対応する出力色ｃｍｙｋpを基準として調整を行うためである。指定インテントに応じた情報がプロファイルにある場合は、指定インテントに応じた情報に従って色変換が行われる。
【００８６】
例えば、図１４Ａに示すように色変換用に入力プロファイル６１０のみ指定された場合（ａ−１）、各調整点Ｐ０の入力値Inputは、ＣＭＹＫ値（Ｃｐ，Ｍｐ，Ｙｐ，Ｋｐとする。）となる。この場合、現在の出力値CurrentOutは、Ｌａｂ値（Ｌｐ，ａｐ，ｂｐとする。）となる。ここでの変数ｐは、調整点Ｐ０を識別する変数である。
【００８７】
ここで、図１５に示すように、プロファイル（例えばＩＣＣプロファイル）に従った変換をｆicc（第１引き数，第２引き数，第３引き数）で表すことにする。ただし、第１引き数は、使用するプロファイルを表す。第１引き数において、InputProfileは入力プロファイルを表し、OutputProfileは出力プロファイルを表し、DLProfileはデバイスリンクプロファイルを表す。第２引き数において、A2Bはデバイスカラーからデバイス非依存カラーへの変換を表し、B2Aはデバイス非依存カラーからデバイスカラーへの変換を表し、A2B0はデバイスリンクテーブルによる変換を表す。第３引き数のInputは、調整点Ｐ０の入力値（ＣＭＹＫ、ＲＧＢ、Ｌａｂ、等）を表す。
【００８８】
上記（ａ−１）の場合、調整対象プロファイル５５０は自動的に入力プロファイル６１０となり、以下の式により現在の出力値CurrentOutを算出することができる（図１５参照）。
CurrentOut＝ficc（InputProfile，A2B，Input）
【００８９】
図１４Ｂに示すように、色変換用に出力プロファイル６２０のみ指定された場合（ａ−２）、各調整点Ｐ０の入力値Inputは、Ｌａｂ値（Ｌｐ，ａｐ，ｂｐとする。）となる。この場合、現在の出力値CurrentOutは、ｃｍｙｋ値（ｃｐ，ｍｐ，ｙｐ，ｋｐとする。）となる。
上記（ａ−２）の場合、調整対象プロファイル５５０は自動的に出力プロファイル６２０となり、以下の式により現在の出力値CurrentOutを算出することができる（図１５参照）。
CurrentOut＝ficc（OutputProfile，B2A，Input）
【００９０】
図１４Ｃに示すように、色変換用にデバイスリンクプロファイル６３０が指定された場合（ａ−３）、各調整点Ｐ０の入力値Inputは、ＣＭＹＫ値（Ｃｐ，Ｍｐ，Ｙｐ，Ｋｐ）となる。この場合、現在の出力値CurrentOutは、ｃｍｙｋ値（ｃｐ，ｍｐ，ｙｐ，ｋｐ）となる。
上記（ａ−３）の場合、調整対象プロファイル５５０は自動的にデバイスリンクプロファイル６３０となり、以下の式により現在の出力値CurrentOutを算出することができる（図１５参照）。
CurrentOut＝ficc（DLProfile，A2B0，Input）
【００９１】
図１４Ｄ，１４Ｅに示すように、色変換用にプロファイル６１０，６２０の組合せが指定された場合（ｂ−１），（ｂ−２）、各調整点Ｐ０の入力値Inputは、ＣＭＹＫ値（Ｃｐ，Ｍｐ，Ｙｐ，Ｋｐ）となる。この場合、現在の出力値CurrentOutは、ｃｍｙｋ値（ｃｐ，ｍｐ，ｙｐ，ｋｐ）となる。
上記（ｂ−１），（ｂ−２）の場合、調整対象プロファイル５５０が入力プロファイル６１０であっても出力プロファイル６２０であっても、以下の式により現在の出力値CurrentOutを算出することができる（図１５参照）。
CurrentOut＝ficc（OutputProfile，B2A，ficc（InputProfile，A2B，Input））
【００９２】
現在の出力値CurrentOutの算出後、ホスト装置１００は、目標受付領域８４０に入力された各調整点Ｐ０について、プロファイル選択欄８１１〜８１３で指定された色変換用のプロファイル（プロファイルの組合せを含む。）、及び、調整対象色空間選択欄８３０で指定された調整対象色空間ＣＳ６に従って目標出力値TargetOutを求める（Ｓ１０６）。これは、被印刷物ＭＥ１に形成される出力画像ＩＭ０の色に対応する出力色ｃｍｙｋpを基準として調整を行うためである。指定インテントに応じた情報がプロファイルにある場合は、指定インテントに応じた情報に従って色変換が行われる。
【００９３】
例えば、図１６Ａに示すように色変換用に入力プロファイル６１０のみ指定されて調整対象色空間ＣＳ６に入力色空間ＣＳ４が指定された場合（ａ−１−１）、ＣＭＹＫ色空間においてＣＭＹＫ値（Ｃｐ，Ｍｐ，Ｙｐ，Ｋｐ）に調整量AdjustDataが加えられる。この調整量AdjustDataは、相対値（ΔＣｐ，ΔＭｐ，ΔＹｐ，ΔＫｐとする。）で表される。ＣＭＹＫ色空間において、調整後のＣＭＹＫ値は、（Ｃｐ＋ΔＣｐ，Ｍｐ＋ΔＭｐ，Ｙｐ＋ΔＹｐ，Ｋｐ＋ΔＫｐ）で表される。
上記（ａ−１−１）の場合、以下の式により目標出力値TargetOutを算出することができる（図１８参照）。
TargetOut＝ficc（InputProfile，A2B，Input＋AdjustData）
【００９４】
図１６Ｂに示すように色変換用に入力プロファイル６１０のみ指定されて調整対象色空間ＣＳ６に出力色空間ＣＳ５が指定された場合（ａ−１−２）、Ｌａｂ色空間においてＬａｂ値（Ｌｐ，ａｐ，ｂｐ）に調整量AdjustDataが加えられる。この調整量AdjustDataは、相対値（ΔＬｐ，Δａｐ，Δｂｐとする。）で表される。Ｌａｂ色空間において、調整後のＬａｂ値は、（Ｌｐ＋ΔＬｐ，ａｐ＋Δａｐ，ｂｐ＋Δｂｐ）で表される。
上記（ａ−１−２）の場合、以下の式により目標出力値TargetOutを算出することができる（図１８参照）。
TargetOut＝ficc（InputProfile，A2B，Input）＋AdjustData
【００９５】
図１６Ｃに示すように色変換用に出力プロファイル６２０のみ指定されて調整対象色空間ＣＳ６に入力色空間ＣＳ４が指定された場合（ａ−２−１）、Ｌａｂ色空間においてＬａｂ値（Ｌｐ，ａｐ，ｂｐ）に調整量AdjustDataが加えられる。この調整量AdjustDataは、相対値（ΔＬｐ，Δａｐ，Δｂｐ）で表される。Ｌａｂ色空間において、調整後のＬａｂ値は、（Ｌｐ＋ΔＬｐ，ａｐ＋Δａｐ，ｂｐ＋Δｂｐ）で表される。
上記（ａ−２−１）の場合、以下の式により目標出力値TargetOutを算出することができる（図１８参照）。
TargetOut＝ficc（OutputProfile，B2A，Input＋AdjustData）
【００９６】
図１６Ｄに示すように色変換用に出力プロファイル６２０のみ指定されて調整対象色空間ＣＳ６に出力色空間ＣＳ５が指定された場合（ａ−２−２）、ｃｍｙｋ色空間においてｃｍｙｋ値（ｃｐ，ｍｐ，ｙｐ，ｋｐ）に調整量AdjustDataが加えられる。この調整量AdjustDataは、相対値（Δｃｐ，Δｍｐ，Δｙｐ，Δｋｐとする。）で表される。ｃｍｙｋ色空間において、調整後のｃｍｙｋ値は、（ｃｐ＋Δｃｐ，ｍｐ＋Δｍｐ，ｙｐ＋Δｙｐ，ｋｐ＋Δｋｐ）で表される。
上記（ａ−２−２）の場合、以下の式により目標出力値TargetOutを算出することができる（図１８参照）。
TargetOut＝ficc（OutputProfile，B2A，Input）＋AdjustData
【００９７】
色変換用にデバイスリンクプロファイル６３０が指定されて調整対象色空間ＣＳ６に入力色空間ＣＳ４が指定された場合（ａ−３−１）、ＣＭＹＫ色空間においてＣＭＹＫ値（Ｃｐ，Ｍｐ，Ｙｐ，Ｋｐ）に調整量AdjustDataが加えられる。この調整量AdjustDataは、相対値（ΔＣｐ，ΔＭｐ，ΔＹｐ，ΔＫｐ）で表される。ＣＭＹＫ色空間において、調整後のＣＭＹＫ値は、（Ｃｐ＋ΔＣｐ，Ｍｐ＋ΔＭｐ，Ｙｐ＋ΔＹｐ，Ｋｐ＋ΔＫｐ）で表される。
上記（ａ−３−１）の場合、以下の式により目標出力値TargetOutを算出することができる（図１８参照）。
TargetOut＝ficc（DLProfile，A2B0，Input＋AdjustData）
【００９８】
色変換用にデバイスリンクプロファイル６３０が指定されて調整対象色空間ＣＳ６に出力色空間ＣＳ５が指定された場合（ａ−３−２）、ｃｍｙｋ色空間においてｃｍｙｋ値（ｃｐ，ｍｐ，ｙｐ，ｋｐ）に調整量AdjustDataが加えられる。この調整量AdjustDataは、相対値（Δｃｐ，Δｍｐ，Δｙｐ，Δｋｐ）で表される。ｃｍｙｋ色空間において、調整後のｃｍｙｋ値は、（ｃｐ＋Δｃｐ，ｍｐ＋Δｍｐ，ｙｐ＋Δｙｐ，ｋｐ＋Δｋｐ）で表される。
上記（ａ−３−２）の場合、以下の式により目標出力値TargetOutを算出することができる（図１８参照）。
TargetOut＝ficc（DLProfile，A2B0，Input）＋AdjustData
【００９９】
尚、図示していないが、調整対象色空間ＣＳ６にＬａｂ色空間が指定されることを想定してもよい。この場合、Ｌａｂ色空間は、入力プロファイル６１０における出力色空間ＣＳ５であり、出力プロファイル６２０における入力色空間ＣＳ４である。目標出力値TargetOutは、例えば、デバイスリンクプロファイル６３０を作成するために用いられた出力プロファイルを参照することにより算出することができる。
【０１００】
図１７Ａに示すように色変換用にプロファイル６１０，６２０の組合せが指定されて調整対象色空間ＣＳ６に入力プロファイル６１０の入力色空間ＣＳ４が指定された場合（ｂ−１−１）、ＣＭＹＫ色空間においてＣＭＹＫ値（Ｃｐ，Ｍｐ，Ｙｐ，Ｋｐ）に調整量AdjustDataが加えられる。この調整量AdjustDataは、相対値（ΔＣｐ，ΔＭｐ，ΔＹｐ，ΔＫｐ）で表される。ＣＭＹＫ色空間において、調整後のＣＭＹＫ値は、（Ｃｐ＋ΔＣｐ，Ｍｐ＋ΔＭｐ，Ｙｐ＋ΔＹｐ，Ｋｐ＋ΔＫｐ）で表される。
上記（ｂ−１−１）の場合、以下の式により目標出力値TargetOutを算出することができる（図１８参照）。
TargetOut
＝ficc（OutputProfile，B2A，ficc（InputProfile，A2B，Input＋AdjustData））
上記式は、調整対象プロファイル５５０が出力プロファイル６２０であっても同じになる。
【０１０１】
図１７Ｂに示すように色変換用にプロファイル６１０，６２０の組合せが指定されて調整対象色空間ＣＳ６に出力プロファイル６２０の出力色空間ＣＳ５が指定された場合（ｂ−１−２）、ｃｍｙｋ色空間においてｃｍｙｋ値（ｃｐ，ｍｐ，ｙｐ，ｋｐ）に調整量AdjustDataが加えられる。この調整量AdjustDataは、相対値（Δｃｐ，Δｍｐ，Δｙｐ，Δｋｐ）で表される。ｃｍｙｋ色空間において、調整後のｃｍｙｋ値は、（ｃｐ＋Δｃｐ，ｍｐ＋Δｍｐ，ｙｐ＋Δｙｐ，ｋｐ＋Δｋｐ）で表される。
上記（ｂ−１−２）の場合、以下の式により目標出力値TargetOutを算出することができる（図１８参照）。
TargetOut
＝ficc（OutputProfile，B2A，ficc（InputProfile，A2B，Input））＋AdjustData
上記式は、調整対象プロファイル５５０が出力プロファイル６２０であっても同じになる。
【０１０２】
図１７Ｃに示すように色変換用にプロファイル６１０，６２０の組合せが指定されて調整対象色空間ＣＳ６にＰＣＳ（入力プロファイル６１０における出力色空間ＣＳ５、及び、出力プロファイル６２０における入力色空間ＣＳ４）が指定された場合（ｂ−１−３）、Ｌａｂ色空間においてＬａｂ値（Ｌｐ，ａｐ，ｂｐ）に調整量AdjustDataが加えられる。この調整量AdjustDataは、相対値（ΔＬｐ，Δａｐ，Δｂｐ）で表される。Ｌａｂ色空間において、調整後のＬａｂ値は、（Ｌｐ＋ΔＬｐ，ａｐ＋Δａｐ，ｂｐ＋Δｂｐ）で表される。
上記（ｂ−１−３）の場合、以下の式により目標出力値TargetOutを算出することができる（図１８参照）。
TargetOut
＝ficc（OutputProfile，B2A，ficc（InputProfile，A2B，Input）＋AdjustData）
上記式は、調整対象プロファイル５５０が出力プロファイル６２０であっても同じになる。
【０１０３】
尚、目標出力値TargetOutの算出は、調整目標Ｔ０が出力座標値で表されている場合には省略可能であり、調整目標Ｔ０が出力座標値で表されていない場合に限定して行ってもよい。
【０１０４】
目標出力値TargetOutの算出後、ホスト装置１００は、各調整点Ｐ０について、調整対象プロファイル５５０における入力値Input_P、及び、調整目標値TargetOut_Pを取得する（Ｓ１０８）。これは、調整対象プロファイル５５０における入力値と出力値との対応関係を調整するためである。指定インテントに応じた情報がプロファイルにある場合は、指定インテントに応じた情報に従って色変換が行われる。
【０１０５】
図１４Ａ，１４Ｂ，１４Ｃで示した（ａ−１），（ａ−２），（ａ−３）の場合、すなわち、色変換用に一つのプロファイル（プロファイル６１０，６２０，６３０のいずれか一つ）が指定された場合、指定されたプロファイルが調整対象プロファイル５５０である。従って、指定されたプロファイルの入力値Inputが調整対象プロファイル５５０における入力値Input_Pとして用いられ、指定されたプロファイルの目標出力値TargetOutが調整対象プロファイル５５０における調整目標値TargetOut_Pとして用いられる。式としては、以下のように表される（図２０参照）。
Input_P＝Input
TargetOut_P＝TargetOut
【０１０６】
また、調整対象プロファイル５５０における現在の出力値CurrentOut_Pは、指定されたプロファイルの現在の出力値CurrentOutである。
CurrentOut_P＝CurrentOut
調整目標Ｔ０の相対値を調整対象プロファイル５５０の出力色空間ＣＳ５で表すと、TargetOut_P−CurrentOut_Pとなる。
【０１０７】
図１９Ａに示すように、図１４Ｄで示した（ｂ−１）の場合、すなわち、色変換用にプロファイル６１０，６２０の組合せが選択されて調整対象プロファイル５５０に入力プロファイル６１０が指定された場合、プロファイル６１０，６２０の組合せの入力値Inputは調整対象プロファイル５５０における入力値Input_Pとして用いられる。調整対象プロファイル５５０の調整目標値TargetOut_P（Ｌａｂ値）は、ｃｍｙｋ値である目標出力値TargetOutから算出することができる（図２０参照）。
Input_P＝Input
TargetOut_P＝ficc（OutputProfile，A2B，TargetOut）
調整対象プロファイル５５０の調整目標値TargetOut_P（Ｌａｂ値）を目標出力値TargetOut（ｃｍｙｋ値）から求めるのは、出力画像ＩＭ０の色に対応する出力色ｃｍｙｋpを基準として調整を行うためである。
【０１０８】
また、調整対象プロファイル５５０における現在の出力値CurrentOut_P（Ｌａｂ値）は、以下の式で表される。
CurrentOut_P＝ficc（InputProfile，A2B，Input）
調整目標Ｔ０の相対値を調整対象プロファイル５５０の出力色空間ＣＳ５で表すと、TargetOut_P−CurrentOut_Pとなる。
【０１０９】
図１９Ｂに示すように、図１４Ｅで示した（ｂ−２）の場合、すなわち、色変換用にプロファイル６１０，６２０の組合せが選択されて調整対象プロファイル５５０に出力プロファイル６２０が指定された場合、プロファイル６１０，６２０の組合せの目標出力値TargetOutは調整対象プロファイル５５０における調整目標値TargetOut_Pとして用いられる。調整対象プロファイル５５０の入力値Input_P（Ｌａｂ値）は、ＣＭＹＫ値である入力値Input（ＣＭＹＫ値）から算出することができる（図２０参照）。
Input_P＝ ficc（InputProfile，A2B，Input）
TargetOut_P＝TargetOut
【０１１０】
また、調整対象プロファイル５５０における現在の出力値CurrentOut_P（ｃｍｙｋ値）は、プロファイル６１０，６２０の組合せの現在の出力値CurrentOutである。
CurrentOut_P＝CurrentOut
調整目標Ｔ０の相対値を調整対象プロファイル５５０の出力色空間ＣＳ５で表すと、TargetOut_P−CurrentOut_Pとなる。
【０１１１】
調整対象プロファイル５５０における入力値Input_P、及び、調整目標値TargetOut_Pの取得後、ホスト装置１００は、Ｓ１１０〜Ｓ１１２において、調整目標Ｔ０に基づいて調整対象プロファイル５５０の調整範囲Ａ０を調整する。
【０１１２】
まず、図２１Ａ，２１Ｂを参照して、調整範囲Ａ０において調整対象プロファイル５５０を調整する概念を説明する。ここで、図２１Ａ，２１Ｂにおいて、横軸は入力色空間ＣＳ４の或る座標軸に沿った入力値を示し、縦軸は出力色空間ＣＳ５の或る座標軸に沿った出力値を示している。例えば、入力色空間ＣＳ４がＣＭＹＫ色空間である場合、横軸は、Ｃ軸、Ｍ軸、Ｙ軸、又は、Ｋ軸となる。出力色空間ＣＳ５がＬａｂ色空間である場合、縦軸は、Ｌ軸、ａ軸、又は、ｂ軸となる。横軸上の白丸は、格子点ＧＤ０を示している。
【０１１３】
図２１Ａは、出力値を調整する場合の各格子点ＧＤ０の調整量ＡＤを模式的に例示している。ユーザーが指定した調整点Ｐ０は、入力値Input_Pに対応している。ユーザーが調整目標Ｔ０として調整量AdjustDataを指示すると、入力値Input_Pに対応する現在の出力値CurrentOut_Pに調整量AdjustDataが加えられた調整目標値TargetOut_Pが設定される。むろん、調整対象色空間ＣＳ６がｃｍｙｋ色空間であれば、現在の出力値CurrentOut_P、及び、調整目標値TargetOut_Pはｃｍｙｋ値で表され、調整量AdjustDataはｃｍｙｋ値の相対値（Δｃｐ，Δｍｐ，Δｙｐ，Δｋｐ）で表される。調整対象色空間ＣＳ６がＬａｂ色空間であれば、現在の出力値CurrentOut_P、及び、調整目標値TargetOut_PはＬａｂ値で表され、調整量AdjustDataはＬａｂ値の相対値（ΔＬｐ，Δａｐ，Δｂｐ）で表される。
図７で示した調整範囲指定欄８５０及び目標受付領域８４０への入力により、調整量AdjustDataには調整範囲Ａ０が設定される。調整範囲指定欄８５０に対して「半径」が指定された場合、基本的には、入力値Input_Pに対する出力値の調整量を最大にして調整範囲Ａ０の境界で調整量を０にするようにしている。ただし、実際の調整は調整対象プロファイル５５０の格子点ＧＤ０に対して行われるため、設定された調整範囲Ａ０よりも広い範囲まで調整が影響することがある。
【０１１４】
図２１Ｂは、入力値を調整する場合の各格子点ＧＤ０の調整量ＡＤを模式的に例示している。ユーザーが指定した調整点Ｐ０は、入力値Input_Pに対応している。ユーザーが調整目標Ｔ０として調整量AdjustDataを指示すると、入力値Input_Pに調整量AdjustDataが加えられた入力値Input_P＋AdjustDataに対応する出力値がユーザー指定の調整点Ｐ０において期待される出力値となる。むろん、調整対象色空間ＣＳ６がＣＭＹＫ色空間であれば、入力値Input_PはＣＭＹＫ値で表され、調整量AdjustDataはＣＭＹＫ値の相対値（ΔＣｐ，ΔＭｐ，ΔＹｐ，ΔＫｐ）で表される。調整対象色空間ＣＳ６がＬａｂ色空間であれば、入力値Input_PはＬａｂ値で表され、調整量AdjustDataはＬａｂ値の相対値（ΔＬｐ，Δａｐ，Δｂｐ）で表される。
【０１１５】
上述した補正は、入力色空間ＣＳ４の全座標軸、及び、出力色空間ＣＳ５の全座標値について、行われる。
【０１１６】
次に、図２２Ａ，２２Ｂを参照して、調整範囲Ａ０の各格子点ＧＤ０に調整量ＡＤを設定する例を説明する。ここで、図２２Ａ，２２Ｂにおいて、横軸は入力値を示し、縦軸は出力値の調整量ＡＤを示している。また、横軸上の三角印は調整範囲Ａ０にある格子点（最近傍格子点ＧＤnearestを除く。）を示し、横軸上の四角印は調整範囲Ａ０外の出力値が修正されない格子点を示している。
まず、図２２Ａに示すように、ホスト装置１００は、各調整点Ｐ０について、調整点Ｐ０に最も近い格子点である最近傍格子点ＧＤnearestに対する出力値の調整量ＡＤ１を決定する（図５のＳ１１０）。図２２Ａには、入力色空間ＣＳ４の或る座標軸上に調整点Ｐ０（入力値Input_P）が２点指定された場合の出力値の調整量ＡＤ１を決定する例を示している。図２２Ａの例では、入力値Input_Pに対する調整量AdjustDataをそのまま最近傍格子点ＧＤnearestに対する出力値の調整量ＡＤ１にしている。むろん、本技術は、最近傍格子点ＧＤnearestに対する出力値の調整量ＡＤ１を調整量AdjustDataにすることに限定されない。
【０１１７】
尚、互いに近傍にある複数の調整点の最近傍格子点ＧＤnearestが同じになることもあり得る。この場合、例えば、入力色空間ＣＳ４において最近傍格子点ＧＤnearestから各調整点までの距離に反比例する割合で各調整点の調整量AdjustDataを平均すればよい。このことは、互いに近傍にある複数の調整点の調整量AdjustDataが目標Ｔ０に合わせられないことがあることを意味する。
【０１１８】
最近傍格子点ＧＤnearestに対する出力値の調整量ＡＤ１の決定後、図２２Ｂに示すように、ホスト装置１００は、調整範囲Ａ０において最近傍格子点ＧＤnearestの周囲にある格子点（三角印の格子点）に対する出力値の調整量ＡＤ２を決定する（図５のＳ１１２）。例えば、調整範囲Ａ０外の格子点に対する出力値の調整量を０にしておき、上述した各最近傍格子点ＧＤnearestに対する出力値の調整量ＡＤ１をAdjustDataにして、３次元又は４次元の３次スプライン関数による補間演算を行うことにより、周囲の格子点に対する出力値の調整量ＡＤ２を決定することができる。ここで、入力色空間ＣＳ４がＣＭＹＫ色空間である場合は前記補間演算を４次元の３次スプライン関数により行えばよく、入力色空間ＣＳ４がＬａｂ色空間である場合は前記補間演算を３次元の３次スプライン関数により行えばよい。このような補間演算を行うことにより、周囲の格子点に対する出力値の調整量ＡＤ２が、各最近傍格子点ＧＤnearestに対する出力値の調整量ＡＤ１と、調整範囲Ａ０外の格子点に対する出力値の調整量「０」と、の間で滑らかに繋がる。
むろん、本技術は、補間演算にスプライン関数を用いることに限定されない。
【０１１９】
尚、調整量ＡＤの対象は格子点であるため、複数の調整点が近傍にある場合、これらの調整点の入力色を調整対象プロファイル５５０に従って色変換する際に同じ格子点が参照されることがある。このような格子点では、各調整点の調整量AdjustDataが平均化されて調整される。このことは、互いに近傍にある複数の調整点の調整量AdjustDataが目標Ｔ０に合わせられないことがあることを意味する。
【０１２０】
調整範囲Ａ０の各格子点に対する出力値の調整量ＡＤの決定後、ホスト装置１００は、決定した調整量ＡＤを調整対象プロファイル５５０に反映する（図５のＳ１１４）。すなわち、調整範囲Ａ０の各格子点について、現在の出力値に調整量ＡＤを加えた値を更新後の出力値として調整対象プロファイル５５０に対して書き込めばよい。例えば、調整対象プロファイル５５０の出力色空間ＣＳ５がｃｍｙｋ色空間であれば、現在の出力値（ｃｑ，ｍｑ，ｙｑ，ｋｑとする。）に調整量（Δｃｑ，Δｍｑ，Δｙｑ，Δｋｑとする。）に加えた値（ｃｑ＋Δｃｑ，ｍｑ＋Δｍｑ，ｙｑ＋Δｙｑ，ｋｑ＋Δｋｑ）が更新後の出力値となる。調整対象プロファイル５５０の出力色空間ＣＳ５がＬａｂ色空間であれば、現在の出力値（Ｌｑ，ａｑ，ｂｑとする。）に調整量（ΔＬｑ，Δａｑ，Δｂｑとする。）に加えた値（Ｌｑ＋ΔＬｑ，ａｑ＋Δａｑ，ｂｑ＋Δｂｑ）が更新後の出力値となる。ここでの変数ｑは、調整範囲Ａ０内の格子点を識別する変数である。
以上のようにして、第二の色空間ＣＳ２において現在の出力値CurrentOutが目標出力値TargetOutに近付くように調整対象プロファイル５５０の対応関係が調整される。指定インテントに応じた情報が調整対象プロファイル５５０にある場合は、指定インテントに応じた対応関係において調整対象プロファイル５５０が調整される。
【０１２１】
調整対象プロファイル５５０の更新後、ホスト装置１００は、目標受付領域８４０に入力された各調整点Ｐ０について、更新後の調整対象プロファイル５５０、又は、更新後の調整対象プロファイル５５０を含むプロファイルの組合せを用いて現在の出力値CurrentOutを求める（Ｓ１１６）。更新後の現在の出力値CurrentOutは、図１４Ａ〜１４Ｅ，１５を参照して説明したＳ１０４の処理と同じ式を用いて算出することができる。指定インテントに応じた情報がプロファイルにある場合は、指定インテントに応じた情報に従って色変換が行われる。
【０１２２】
また、ホスト装置１００は、目標受付領域８４０に入力された各調整点Ｐ０について、更新後の現在の出力値CurrentOutと目標出力値TargetOutとの差分ｄを求める（Ｓ１１８）。この差分は、例えば、調整対象プロファイル５５０の出力色空間ＣＳ５において出力値CurrentOutに対応する点と目標出力値TargetOutに対応する点とのユークリッド距離とすることができる。
【０１２３】
その上で、ホスト装置１００は、Ｓ１０８〜Ｓ１２０の繰り返し処理の終了条件が成立したか否かを判断し（Ｓ１２０）、終了条件が成立していない場合にはＳ１０８〜Ｓ１２０の処理を繰り返し、終了条件が成立した場合には図２３に示す誤差要因対策出力処理を行う。例えば、全調整点Ｐ０について差分ｄが所定の閾値以下である場合に終了条件成立とすることができる。また、規定の回数に達した場合に終了条件成立としてもよい。
【０１２４】
以上より、調整点Ｐ０に対応する入力座標値から現在の調整対象プロファイル５５０、又は、調整対象プロファイル５５０を含むプロファイルの組合せに従って得られる現在の出力値CurrentOutが目標出力値TargetOutに近付くように調整対象プロファイル５５０が調整される。このように、出力色ｃｍｙｋpを表す座標値を基準として調整対象プロファイル５５０が調整されるので、本具体例は、色空間の座標値の変換に使用するプロファイルを良好な色再現精度となるように調整することができる。その際、調整対象プロファイル５５０や調整対象色空間ＣＳ６を指定することができるので、本具体例は、ユーザーの利用環境に応じて柔軟に対応することができる。
【０１２５】
例えば、色校正を行う場合、色変換用に入力プロファイルと出力プロファイルを組み合わせて使用することができる方が好ましい。一方、スポットカラーマッチング等のようにプロファイル単体の色再現精度を上げたい場合、色変換用にプロファイル単体を使用する方が好ましい。本具体例は、色変換用にプロファイルの組合せとプロファイル単体とを切り替えることができるので、便利である。
【０１２６】
また、プロファイルを組み合わせてプロファイルを調整する場合、調整対象プロファイルを入力プロファイルとしたい場合と出力プロファイルにしたい場合とがある。色差の原因が入力プロファイルにある場合は、入力プロファイルを調整対象とすることにより、他の被印刷物のプリンタープロファイルといった出力プロファイルを個別に調整する必要が無くなる。誤差の原因が出力プロファイルにあると考えられる場合は、出力プロファイルを調整することにより、他の入力プロファイルを個別に調整する必要が無くなる。
【０１２７】
さらに、ユーザーがプロファイルを調整する手順には、例えば、以下の手順が考えられる。本具体例は、これら全ての手順に対応することができる。
（手順１）測色機を使わず、目視で色を合わせたいユーザーを対象として、目標となる色を表す色サンプルがあるとする。合わせたい色の周辺の色を配置した調色チャートを表す調色チャートデータがあり、これを入力プロファイルと出力プロファイルとで変換し、調色チャートを印刷する。ユーザーは、この調色チャートの中から目標となる色に最も近いパッチを選び、このパッチを形成したＣＭＹＫ値を得る。ＣＭＹＫ色空間において前記ＣＭＹＫ値を目標としてプロファイルを調整する。
（手順２）測色機を使わず、目視で色を合わせたいユーザーを対象として、目標となる色を表す色サンプルがあるとする。合わせたい色の入力データ（ＣＭＹＫin）に対する現在のプロファイルの組合せでの出力データ（ｃｍｙｋp）とその周辺の色を配置した調色チャートを印刷する。ユーザーは、この調色チャートの中から目標となる色に最も近いパッチを選び、このパッチを形成したｃｍｙｋ値を得る。ｃｍｙｋ色空間において前記ｃｍｙｋ値を目標としてプロファイルを調整する。
【０１２８】
ところで、図５で示したプロファイル調整処理が行われても、実際には、全調整点Ｐ０について調整目標Ｔ０に合わせることができない場合がある。その原因としては、例えば、以下のことが考えられる。
（原因１）調整点Ｐ０の目標Ｔ０の色がプリンター２００の色再現域外にあるため、調整後の色を再現することができない。
（原因２）複数の調整点が近傍にあり、これらの調整点の入力色をプロファイルに従って色変換する際に参照される格子点が重なってしまっており、このような格子点に対して最適な調整量が設定されない場合がある。
（原因３）カラーチャートのパッチの測色値にばらつきがあり、このばらつきが調整目標Ｔ０に影響している。
【０１２９】
そこで、本具体例では、調整点Ｐ０において調整後のプロファイル５００に目標Ｔ０からの誤差が生じる要因を判別し、判別した要因、及び、誤差への該判別された要因に対応する対策をユーザーに通知することにしている。これにより、プロファイルに対して短時間で所望の調整が可能となる。
【０１３０】
（６）プロファイル調整システムで行われる誤差要因対策出力処理の具体例：
図２３は、図５で示したプロファイル調整処理の後に行われる誤差要因対策出力処理の例を示している。図２４は、目標色彩値Ｌａｂt（Ｓ３０２参照）を算出する式を模式的に例示している。図２５は、調整後の出力色彩値Ｌａｂs（Ｓ３０４参照）を算出する式を模式的に例示している。図２６は、Ｓ３１２において参照される誤差要因対策テーブルＴＡを模式的に例示している。図２７は、図２３のＳ３１０で行われる誤差要因判別処理の例を示している。図２３，２７の処理も、順番を入れ替える等、適宜、変更可能である。ここで、図２３のＳ３０２〜Ｓ３０８は、誤差取得工程ＳＴ６、誤差取得機能ＦＵ６、及び、誤差取得部Ｕ６に対応している。図２３のＳ３１０は、誤差要因判別工程ＳＴ７、誤差要因判別機能ＦＵ７、及び、誤差要因判別部Ｕ７に対応している。図２３のＳ３１２は、出力工程ＳＴ８、出力機能ＦＵ８、及び、出力部Ｕ８に対応している。
【０１３１】
図２３に示す誤差要因対策出力処理が開始されると、ホスト装置１００は、各調整点Ｐ０について、目標の色彩値Ｌａｂtを取得し（Ｓ３０２）、調整後の調整対象プロファイル５５０を使用してシミュレーション色彩値Ｌａｂsを取得し（Ｓ３０４）、ＬａｂsとＬａｂtとの色差Ｅｒを算出する（Ｓ３０６）。
【０１３２】
（例１）まず、色変換用にプロファイル６１０，６２０の組合せを指定して調整対象に出力プロファイル６２０を指定し、調整対象色空間ＣＳ６にＰＣＳ ＣＳ３を指定して出力プロファイル６２０を調整する場合において、色差Ｅｒを算出する例を説明する。
図２に示す各目標色Ｃtのカラーパッチの測色値ＬａｂOrを（ＬOr，ａOr，ｂOr）とし、プリンター２００で印刷されたカラーチャートＣＨ１の各パッチの測色値Ｌａｂpを（Ｌp，ａp，ｂp）とする。ＰＣＳ ＣＳ３における調整量AdjustDataは、測色値ＬａｂOr，Ｌａｂpで表すことができる。
AdjustData＝（ＬOr−Ｌp，ａOr−ａp，ｂOr−ｂp）
【０１３３】
各調整点Ｐ０の目標色彩値Ｌａｂtは、以下の式により算出することができる。
Labt＝ficc（OutputProfile，A2B，ficc（OutputProfile，B2A，
ficc（InputProfile，A2B，Input）＋AdjustData））
また、調整後の調整対象プロファイル５５０を使用して得られるシミュレーション色彩値Ｌａｂsは、以下の式により算出することができる。
Ｌａｂs＝ficc（OutputProfile，A2B，
ficc（AdOutputProfile，B2A，ficc（InputProfile，A2B，Input）））
ここで、AdOutputProfileは調整後の出力プロファイル６２０を表す。
【０１３４】
調整後の出力プロファイル６２０において調整目標Ｔ０からの誤差は、色彩値Ｌａｂs，Ｌａｂtの色差Ｅｒで表すことができる。色差Ｅｒは、ＣＩＥＤＥ２０００色差式で表される色差ΔＥ00であるものとする。むろん、色差Ｅｒは、Ｅｒ＝｛（ＬOr−Ｌp）2＋（ａOr−ａp）2＋（ｂOr−ｂp）2｝1/2等により算出してもよい。
【０１３５】
（例２）次に、色変換用にプロファイル６１０，６２０の組合せを指定して調整対象に出力プロファイル６２０を指定し、調整対象色空間ＣＳ６にＣＭＹＫ色空間（ＣＳ２）を指定して出力プロファイル６２０を調整する場合において、ＰＣＳ ＣＳ３における色差Ｅｒを算出する例を説明する。この場合、図１３で示した調色カラーチャートＣＨ１２を印刷し、この調色カラーチャートＣＨ１２から目標となる色のパッチＰＡ２を選択するものとする。
図１３に示す選択パッチＰＡ２のデバイスカラー値Ｄｃをｃｍｙｋ値ｃｍｙｋp_t（図２参照）とし、現在色パッチＰＡ１のデバイスカラー値Ｄｃをｃｍｙｋ値ｃｍｙｋpとする。ＣＭＹＫ色空間（ＣＳ２）における調整量AdjustDataは、ｃｍｙｋ値ｃｍｙｋp_tからｃｍｙｋ値ｃｍｙｋpを差し引いた値で表すことができる。
【０１３６】
各調整点Ｐ０の目標色彩値Ｌａｂtは、以下の式により算出することができる。
Labt＝ficc（OutputProfile，A2B，ficc（OutputProfile，B2A，
ficc（InputProfile，A2B，Input））＋AdjustData）
また、調整後の調整対象プロファイル５５０を使用して得られるシミュレーション色彩値Ｌａｂsは、以下の式により算出することができる。
Ｌａｂs＝ficc（OutputProfile，A2B，
ficc（AdOutputProfile，B2A，ficc （InputProfile，A2B，Input）））
【０１３７】
調整後の出力プロファイル６２０において調整目標Ｔ０からの誤差は、色彩値Ｌａｂs，Ｌａｂtの色差Ｅｒで表すことができる。ここでも、色差Ｅｒは、ＣＩＥＤＥ２０００色差式で表される色差ΔＥ00であるものとするが、｛（ＬOr−Ｌp）2＋（ａOr−ａp）2＋（ｂOr−ｂp）2｝1/2等でもよい。
【０１３８】
色差Ｅｒの算出式は、色変換用に指定されたプロファイル、調整対象プロファイル、及び、調整対象色空間に応じて変わる。以下、場合分けをして説明する。
【０１３９】
Ｓ３０２において取得される目標色彩値Ｌａｂtは、調整点Ｐ０の入力値Input、及び、調整量AdjustDataを用いて、以下の式により算出することができる。
【０１４０】
（ａ−１−１）色変換用に入力プロファイル６１０のみ指定されて調整対象色空間ＣＳ６に入力色空間ＣＳ４が指定された場合。
Labt＝ficc（InputProfile，A2B，Input＋AdjustData）
（ａ−１−２）色変換用に入力プロファイル６１０のみ指定されて調整対象色空間ＣＳ６に出力色空間ＣＳ５が指定された場合。
Labt＝ficc（InputProfile，A2B，Input）＋AdjustData
【０１４１】
（ａ−２−１）色変換用に出力プロファイル６２０のみ指定されて調整対象色空間ＣＳ６に入力色空間ＣＳ４が指定された場合。
Labt
＝ficc（OutputProfile，A2B，ficc（OutputProfile，B2A，Input＋AdjustData））
（ａ−２−２）色変換用に出力プロファイル６２０のみ指定されて調整対象色空間ＣＳ６に出力色空間ＣＳ５が指定された場合。
Labt
＝ficc（OutputProfile，A2B，ficc（OutputProfile，B2A，Input）＋AdjustData）
【０１４２】
（ａ−３−１）色変換用にデバイスリンクプロファイル６３０が指定されて調整対象色空間ＣＳ６に入力色空間ＣＳ４が指定された場合。
Labt
＝ficc（OrOutputProfile，A2B，ficc（DLProfile，A2B0，Input＋AdjustData））
ここで、OrOutputProfileはデバイスリンクプロファイル６３０の元の出力プロファイルを表す。
（ａ−３−２）色変換用にデバイスリンクプロファイル６３０が指定されて調整対象色空間ＣＳ６に出力色空間ＣＳ５が指定された場合。
Labt
＝ficc（OrOutputProfile，A2B，ficc（DLProfile，A2B0，Input）＋AdjustData）
【０１４３】
（ｂ−１−１）色変換用にプロファイル６１０，６２０の組合せが指定されて調整対象に入力プロファイル６１０が指定され、調整対象色空間ＣＳ６に入力プロファイル６１０の入力色空間ＣＳ４が指定された場合。
Labt＝ficc（OutputProfile，A2B，ficc（OutputProfile，B2A，
ficc（InputProfile，A2B，Input＋AdjustData）））
尚、上記式は、調整対象プロファイル５５０が出力プロファイル６２０であっても同じになる。
（ｂ−１−２）色変換用にプロファイル６１０，６２０の組合せが指定されて調整対象に入力プロファイル６１０が指定され、調整対象色空間ＣＳ６に出力プロファイル６２０の出力色空間ＣＳ５が指定された場合。
Labt＝ficc（OutputProfile，A2B，ficc（OutputProfile，B2A，
ficc（InputProfile，A2B，Input））＋AdjustData）
尚、上記式は、調整対象プロファイル５５０が出力プロファイル６２０であっても同じになる。
（ｂ−１−３）色変換用にプロファイル６１０，６２０の組合せが指定されて調整対象に入力プロファイル６１０が指定され、調整対象色空間ＣＳ６にＰＣＳ ＣＳ３が指定された場合。
Labt＝ficc（OutputProfile，A2B，ficc（OutputProfile，B2A，
ficc（InputProfile，A2B，Input）＋AdjustData））
尚、上記式は、調整対象プロファイル５５０が出力プロファイル６２０であっても同じになる。
【０１４４】
図２４には、上述した目標色彩値Ｌａｂtの算出式の一覧表を示した。
【０１４５】
Ｓ３０４において調整後の調整対象プロファイル５５０を使用して得られるシミュレーション色彩値Ｌａｂsは、以下の式により算出することができる。尚、式の一覧を図２５に示した。
【０１４６】
（ａ−１）色変換用に入力プロファイル６１０のみ指定された場合。
Ｌａｂs＝ficc（AdInputProfile，A2B，Input）
ここで、AdInputProfileは調整後の入力プロファイル６１０を表す。
（ａ−２）色変換用に出力プロファイル６２０のみ指定された場合。
Ｌａｂs＝ficc（OutputProfile，A2B，ficc（AdOutputProfile， B2A，Input））
ここで、AdOutputProfileは調整後の出力プロファイル６２０を表す。
（ａ−３）色変換用にデバイスリンクプロファイル６３０が指定された場合。
Labs＝ficc（OrOutputProfile，A2B，ficc（AdDLProfile，A2B0，Input））
ここで、AdDLProfileは調整後のデバイスリンクプロファイル６３０を表す。
【０１４７】
（ｂ−１）色変換用にプロファイル６１０，６２０の組合せが指定されて調整対象に入力プロファイル６１０が指定された場合。
Ｌａｂs＝ficc（OutputProfile，A2B，
ficc（OutputProfile，B2A，ficc（AdInputProfile，A2B，Input）））
（ｂ−２）色変換用にプロファイル６１０，６２０の組合せが指定されて調整対象に出力プロファイル６２０が指定された場合。
Ｌａｂs＝ficc（OutputProfile，A2B，
ficc（AdOutputProfile，B2A，ficc（InputProfile，A2B，Input）））
【０１４８】
図２５には、上述したシミュレーション色彩値Ｌａｂsの算出式の一覧表を示した。
【０１４９】
Ｓ３０６において、色差Ｅｒは、色変換用に指定されたプロファイル、調整対象プロファイル、及び、調整対象色空間に応じてＣＩＥＤＥ２０００色差式により算出される。色差Ｅｒの算出後、ホスト装置１００は、全調整点Ｐ０の中から誤差要因ＤＡ１を判別する調整点Ｐを抽出する（Ｓ３０８）。このＳ３０８の処理を行うため、調整点Ｐ０において調整後の調整対象プロファイル５５０に生じる目標Ｔ０からの誤差（Ｅｒ）が許容されるか否かを判定する閾値Ｅｒｔｈ（判定基準の例）が設定されている。閾値Ｅｒｔｈは、正数であり、特に限定されないが、例えば、０．５〜３．０程度に設定することができる。図２３に示す例では、色差Ｅｒが閾値Ｅｒｔｈ以下となった調整点Ｐ０については誤差が許容されるとして誤差要因ＤＡ１の判別対象から除外され、色差Ｅｒが閾値Ｅｒｔｈよりも大きくなった調整点Ｐ０については誤差が許容されないとして誤差要因ＤＡ１の判別対象として抽出される。むろん、Ｅｒ＜Ｅｒｔｈである場合に誤差が許容されてＥｒ≧Ｅｒｔｈである調整点が判別対象として抽出されてもよい。
以上により、調整目標Ｔ０及び調整後の調整対象プロファイル５５０に基づいて、調整点Ｐ０において調整後の調整対象プロファイル５５０に生じる目標Ｔ０からの誤差（Ｅｒ）が求められ、誤差要因ＤＡ１を判別する調整点が抽出される。
【０１５０】
その後、ホスト装置１００は、抽出された調整点Ｐ０の座標に少なくとも基づいて、該調整点Ｐ０において調整後の調整対象プロファイル５５０に目標Ｔ０からの誤差（Ｅｒ）が生じる要因ＤＡ１を判別する誤差要因判別処理を行う（Ｓ３１０）。この処理を行うため、記憶装置１１４には、誤差要因ＤＡ１のＩＤ（識別情報）に誤差要因ＤＡ１、及び、誤差への対策ＤＡ２を対応付けた誤差要因対策テーブルＴＡ（図２６参照）が記憶されている。
【０１５１】
図２６に示す誤差要因対策テーブルＴＡにおいて、ＩＤ＝１の誤差要因ＤＡ１は、上述した原因１のように、調整点Ｐ０の目標Ｔ０の色がプリンター２００の色再現域外にあるため、調整後の色を再現することができないことを意味している。この場合、誤差（Ｅｒ）への対策ＤＡ２には、以下のことが示されている。
（対策１−１）調色カラーチャートＣＨ１２（図１３参照）を印刷し、このカラーチャートＣＨ１２から再現したい色のパッチＰＡ２を選んでデバイスカラー値Ｄｃを調整目標Ｔ０として入力すること。
（対策１−２）プロファイルを生成するソフトウェアを別途使用し、被印刷物ＭＥ１の単位面積当たりのインク使用量を表すインク打ち込み量制限値を増やしてプロファイルを作り直すこと。
（対策１−３）１ラスターのドットを形成する走査回数を表す印刷パス数を増やすこと。
【０１５２】
尚、上記対策１−１があるのは、プリンター２００の色再現域内で印刷される調色カラーチャートＣＨ１２のパッチＰＡから目標Ｔ０の色が選択されるためである。
上記対策１−２があるのは、被印刷物ＭＥ１の単位面積当たりのインク使用量が増えることにより色再現域が拡がるためである。
上記対策１−３があるのは、印刷パス数が増えると第一の色のインクドットが乾燥してから第二の色のインクドットを重ねることができ、第一の色のインクと第二の色のインクとが液状で混ざらず、すなわち、減法混色とならず、色再現域が拡がるためである。
【０１５３】
また、ＩＤ＝２の誤差要因ＤＡ１は、上述した原因２のように、互いに近傍にある複数の調整点の入力色をプロファイルに従って色変換する際に参照される格子点が重なっており、このような格子点に対して最適な調整量を設定することができないことを意味している。この場合、誤差（Ｅｒ）への対策ＤＡ２には、以下のことが示されている。
（対策２−１）互いに近傍にある調整点の一部を調整対象から外すこと。
（対策２−２）測色をやり直すこと。
（対策２−３）調整対象プロファイル５５０のデータサイズ（具体的には格子点数）を増やすこと。
【０１５４】
尚、上記対策２−１があるのは、複数の調整点の入力色を色変換する際に参照される格子点の重複が少なくなることにより、調整点における目標Ｔ０からの誤差が少なくなる可能性があるためである。
上記対策２−２があるのは、互いに近傍にある複数の調整点に対する目標Ｔ０を設定する際に生じた測色誤差の影響が少なくなる可能性があるためである。
上記対策２−３があるのは、調整対象プロファイル５５０の格子点間隔が狭まることにより、複数の調整点の入力色を色変換する際に参照される格子点の重複が少なくなる可能性があるためである。
【０１５５】
さらに、ＩＤ＝３の誤差要因ＤＡ１は、上述した原因３のように、カラーチャートのパッチの測色値にばらつきがあり、このばらつきが調整目標Ｔ０に影響していることを意味している。この場合、誤差（Ｅｒ）への対策ＤＡ２には、以下のことが示されている。
（対策３）測色をやり直すこと。
尚、上記対策３があるのは、調整点Ｐ０の目標Ｔ０を設定する際に生じた測色誤差の影響が少なくなる可能性があるためである。
【０１５６】
図２７は、図２３のＳ３１０において誤差要因対策テーブルＴＡの誤差要因ＤＡ１のＩＤを決定するための誤差要因判別処理を例示している。この処理が開始されると、ホスト装置１００は、図２３のＳ３０８において抽出された調整点Ｐ０の中からＳ４０４〜Ｓ４１８の処理を行う処理対象の調整点Ｐｉを設定する（Ｓ４０２）。
【０１５７】
調整点Ｐｉの設定後、ホスト装置１００は、Ｌａｂ色空間（ＣＳ３）において調整点Ｐｉの位置を表すＬａｂ値ＬａｂPiを取得する（Ｓ４０４）。例えば、調整点Ｐｉの入力値がＣＭＹＫ値ＣＭＹＫPiである場合、入力プロファイル６１０を用いてＬａｂ値ＬａｂPiを算出することができる。
LabPi＝ficc（InputProfile，A2B，CMYKPi）
【０１５８】
次に、ホスト装置１００は、Ｌａｂ値ＬａｂPiがプリンター２００の色再現域外であるか否かを判定する（Ｓ４０６）。この判定は、例えば、出力プロファイル６２０のＢ２Ａテーブルに従ってＬａｂ値ＬａｂPiをｃｍｙｋ値（ｃｍｙｋPiとする。）に変換し、今度は出力プロファイル６２０のＡ２Ｂテーブルに従ってｃｍｙｋ値ｃｍｙｋPiをＬａｂ値（ＬａｂSiとする。）に変換し、得られたＬａｂ値ＬａｂSiと元のＬａｂ値ＬａｂPiとの色差（例えばΔＥ00）が閾値（Ｅｔｈとする。）を超えたか否かを判断することにより行うことができる。閾値Ｅｔｈは、正数であり、特に限定されないが、例えば、１．０〜３．０程度に設定することができる。例えば、ΔＥ00＞Ｅｔｈである場合に色再現域外と判定し、ΔＥ00≦Ｅｔｈである場合に色再現域内と判定することができる。尚、Ｌａｂ値ＬａｂPiがプリンター２００の色再現域外にある場合、Ｌａｂ値ＬａｂPiからｃｍｙｋ値ｃｍｙｋPiへの変換がプリンター２００の色再現域内に圧縮される。このことから、Ｌａｂ値ＬａｂSi，ＬａｂPiの色差と閾値Ｅｔｈとを比較することにより、色再現域の内外の判定を行うことができる。
【０１５９】
むろん、色再現域の内外の判定は、上述した方法に限定されず、例えば、特開平7-254995号公報に開示される方法等でもよい。例えば、この公報の段落0150〜0171には、明度Ｌに応じてプリンターの色再現域をａ−ｂ平面（互いに直交するａ軸及びｂ軸により定まる平面）において表し、対象の明度において対象データがａ−ｂ平面の閉領域に含まれるか否かを判定することにより、色再現域の内外を判定することが示されている。
【０１６０】
以上により、出力プロファイル６２０、及び、調整点Ｐ０の座標に基づいて調整点Ｐ０がプリンター２００の色再現域外にあるか否かが判断される。
Ｓ４０６の後、ホスト装置１００は、判定結果に応じて処理を分岐させる（Ｓ４０８）。Ｌａｂ値ＬａｂPiがプリンター２００の色再現域外である場合には、誤差要因ＩＤ＝１のフラグをセットして（Ｓ４１０）、処理をＳ４１２に進める。Ｌａｂ値ＬａｂPiがプリンター２００の色再現域内である場合には、Ｓ４１０の処理を行わずに処理をＳ４１２に進める。
【０１６１】
Ｓ４１２において、ホスト装置１００は、設定された調整点Ｐｉについて、調整対象プロファイル５５０の入力色空間ＣＳ４において同じ格子点ＧＤ０の出力座標値を調整対象としている調整点の有無を判定する。
【０１６２】
図２８は、調整対象プロファイル５５０の入力色空間ＣＳ４において同じ格子点ＧＤ０の出力座標値を調整対象としている複数の調整点Ｐ０を模式的に例示している。図２８に示す例は、調整対象が出力プロファイル６２０であるとして、入力色空間ＣＳ４であるＰＣＳ ＣＳ３のａ−ｂ平面の一部を示している。ここで、９個の格子点ＧＤ０を格子点ｇｄ１〜ｇｄ９と識別し、分かり易く示すため、設定調整点Ｐｉ、及び、近傍調整点Ｐ１〜Ｐ４が同じ明度Ｌのａ−ｂ平面にあるものとしている。
【０１６３】
図２８に示すａ−ｂ平面において、設定調整点Ｐｉの入力色は、近隣の格子点ｇｄ１，ｇｄ２，ｇｄ４，ｇｄ５を参照することによりｃｍｙｋ色空間（ＣＳ２）の出力色に変換される。同じ格子にある近傍調整点Ｐ１の入力色も、同じ格子点ｇｄ１，ｇｄ２，ｇｄ４，ｇｄ５を参照することによりｃｍｙｋ色空間の出力色に変換される。例えば、設定調整点Ｐｉの調整量AdjustDataがｃ値を増やし、近傍調整点Ｐ１の調整量AdjustDataがｃ値を減らす場合、格子点ｇｄ１，ｇｄ２，ｇｄ４，ｇｄ５を調整する際に調整点Ｐｉ，Ｐ１の調整量AdjustDataが干渉してしまう。
設定調整点Ｐｉが存在する格子に隣接する格子に存在する近傍調整点Ｐ２の入力色は、格子点ｇｄ２，ｇｄ３，ｇｄ５，ｇｄ６を参照することによりｃｍｙｋ色空間の出力色に変換される。この場合、格子点ｇｄ２，ｇｄ５の調整に調整点Ｐｉ，Ｐ２の調整量AdjustDataが干渉してしまう。
設定調整点Ｐｉが存在する格子に角が合った格子に存在する近傍調整点Ｐ３の入力色は、格子点ｇｄ５，ｇｄ６，ｇｄ８，ｇｄ９を参照することによりｃｍｙｋ色空間の出力色に変換される。この場合、格子点ｇｄ５の調整に調整点Ｐｉ，Ｐ３の調整量AdjustDataが干渉してしまう。
【０１６４】
設定調整点Ｐｉが存在する格子から離れた格子に存在する近傍調整点Ｐ４については、調整点Ｐｉ，Ｐ４の調整量AdjustDataが干渉する格子点は無い。ただし、図２８に示す例では、例えば、調整点Ｐ２，Ｐ４の調整量AdjustDataが干渉する格子点ｇｄ３，ｇｄ６がある。
以上より、設定調整点Ｐｉが存在する格子と同じ格子、設定調整点Ｐｉが存在する格子に隣接する格子、及び、設定調整点Ｐｉが存在する格子に角が合った格子に調整点が存在すれば、調整対象プロファイル５５０の入力色空間ＣＳ４において同じ格子点ＧＤ０の出力座標値を調整対象としている調整点があると判断することができる。
【０１６５】
また、別の方法として、ＰＣＳ ＣＳ３における設定調整点Ｐｉの座標（ＬPi，ａPi，ｂPiとする。）と他の調整点の座標（ＬPj，ａPj，ｂPjとする。）とに基づいて、設定調整点Ｐｉについて同じ格子点ＧＤ０の出力座標値を調整対象としている調整点の有無を判断してもよい。例えば、
｜ＬPi−ＬPj｜＜Ｌｔｈ、且つ、
｜ａPi−ａPj｜＜ａｔｈ、且つ、
｜ｂPi−ｂPj｜＜ｂｔｈ
を満たす場合、設定調整点Ｐｉについて同じ格子点ＧＤ０の出力座標値を調整対象としている調整点があると判断することができる。ここで、閾値ＬｔｈはＬ値ＬPi，ＬPjの差に対する正の閾値であり、例えば、Ｌ軸方向における格子点間隔の１．０〜２．０倍程度にすることができる。閾値ａｔｈはａ値ａPi，ａPjの差に対する正の閾値であり、例えば、ａ軸方向における格子点間隔の１．０〜２．０倍程度にすることができる。閾値ｂｔｈはｂ値ｂPi，ｂPjの差に対する正の閾値であり、例えば、ｂ軸方向における格子点間隔の１．０〜２．０倍程度にすることができる。
【０１６６】
以上により、調整対象プロファイル５５０の入力色空間ＣＳ４において同じ格子点ＧＤ０の出力座標値を調整対象としている複数の調整点Ｐ０の有無が判断される。
Ｓ４１２の後、ホスト装置１００は、判定結果に応じて処理を分岐させる（Ｓ４１４）。設定調整点Ｐｉについて同じ格子点ＧＤ０の出力座標値を調整対象としている調整点がある場合には、誤差要因ＩＤ＝２のフラグをセットして（Ｓ４１６）、処理をＳ４１８に進める。設定調整点Ｐｉについて同じ格子点ＧＤ０の出力座標値を調整対象としている調整点が無い場合には、Ｓ４１６の処理を行わずに処理をＳ４１８に進める。
【０１６７】
ホスト装置１００は、上述したＳ４０２〜Ｓ４１６の処理を全ての抽出調整点について行う（Ｓ４１８）。全ての抽出調整点についてＳ４０２〜Ｓ４１６の処理が行われると、ホスト装置１００は、図１２で示したカラーチャートＣＨ１１の各パッチＰＡの測色値Ｌａｂpを測色装置１２０から取得した場合において、Ｓ４２０以降の処理を行う。複数のパッチＰＡの測色値Ｌａｂpには、複数の特定パッチＰＡ０の測色値ＬａｂPpが含まれる。
【０１６８】
Ｓ４２０において、ホスト装置１００は、デバイスカラー値Ｄｃが同じ複数の特定パッチＰＡ０の測色値ＬａｂPpを取得する。次に、ホスト装置１００は、特定パッチＰＡ０の測色値ＬａｂPpのばらつきＤを算出する（Ｓ４２２）。ばらつきＤは、平均偏差、標準偏差、分散、といった散布度等を用いることができる。例えば、特定パッチＰＡ０の測色値ＬａｂPpの相加平均である平均測色値（Ｌav，ａav，ｂavとする。）を算出し、ＰＣＳ ＣＳ３において平均測色値Ｌav，ａav，ｂavから各特定パッチＰＡ０の測色値ＬａｂPpまでのユークリッド距離を算出することにする。ばらつきＤは、例えば、このユークリッド距離の相加平均値とすることができる。
【０１６９】
ばらつきＤの算出後、ホスト装置１００は、ばらつきＤが所定の許容範囲を超えているか否かに応じて処理を分岐させる（Ｓ４２４）。図２７に示す例のホスト装置１００は、ばらつきＤが閾値Ｄｔｈ（許容範囲の例）を超えている場合に誤差要因ＩＤ＝３のフラグをセットして（Ｓ４２６）、誤差要因判別処理を終了させる。ばらつきＤが閾値Ｄｔｈ（許容範囲の例）を超えていない場合、ホスト装置１００は、Ｓ４２６の処理を行わずに誤差要因判別処理を終了させる。Ｌａｂ色空間におけるばらつきＤの閾値Ｄｔｈは、正数であり、特に限定されないが、例えば、０．５〜３．０程度にすることができる。
むろん、Ｄ≧Ｄｔｈである場合にＩＤ＝３のフラグをセットし、Ｄ＜Ｄｔｈである場合にＳ４２６の処理を行わずに誤差要因判別処理を終了させてもよい。
【０１７０】
以上により、特定パッチＰＡ０の測色値のばらつきＤが所定の許容範囲を超えているか否かが判断される。
誤差要因判別処理の終了後、ホスト装置１００は、図２３のＳ３１２において誤差要因ＤＡ１のリストの出力処理を行い、誤差要因対策出力処理を終了させる。
【０１７１】
図２９Ａは、誤差要因ＤＡ１の判別結果のＵＩ画面７００の例を模式的に示している。ホスト装置１００は、ＵＩ画面７００を表示装置１１５に表示する。このＵＩ画面７００は、調整点Ｐ０のＩＤ表示欄７１１、調整点Ｐ０の入力値表示欄７１２、目標値との色差表示欄７１３、判定表示欄７１４、及び、誤差要因表示欄７１５を有している。ホスト装置１００は、ＩＤ表示欄７１１に調整点Ｐ０のＩＤ（識別情報）を表示し、入力値表示欄７１２に各ＩＤの調整点Ｐ０のＣＭＹＫ値を表示し、色差表示欄７１３に各ＩＤの調整点Ｐ０についてシミュレーション色彩値Ｌａｂsと目標色彩値Ｌａｂtとの色差Ｅｒを表示し、判定表示欄７１４に色差Ｅｒが閾値Ｅｒｔｈ（図２９では１．０）を超えた箇所において「＊」印を表示し、誤差要因表示欄７１５に誤差要因判別処理（図２７参照）においてフラグがセットされた誤差要因ＩＤを表示する。判定表示欄７１４において、色差Ｅｒが許容される判定基準（閾値Ｅｒｔｈ以下）を満たす場合、「＊」印は表示されない。誤差要因表示欄７１５において、誤差要因ＤＡ１が複数ある場合には、複数の誤差要因ＩＤが表示される。
【０１７２】
ホスト装置１００は、入力装置１１６用のカーソルを色差表示欄７１３の色差表示のいずれかに合わせる操作を受け付けると、図２９Ｂに例示するように、色差Ｅｒを生じさせている各成分の差ΔＬ，Δａ，Δｂを示す吹き出し欄７２１を表示する。ここで、差ΔＬは、シミュレーション色彩値ＬａｂsのＬ値から目標色彩値ＬａｂtのＬ値を差し引いた値である。差Δａは、シミュレーション色彩値Ｌａｂsのａ値から目標色彩値Ｌａｂtのａ値を差し引いた値である。差Δｂは、シミュレーション色彩値Ｌａｂsのｂ値から目標色彩値Ｌａｂtのｂ値を差し引いた値である。差ΔＬ，Δａ，Δｂの表示を見たユーザーは、誤差（Ｅｒ）がどの成分に生じているのかを知ることができ、誤差（Ｅｒ）に対する対策が取り易くなる。
【０１７３】
また、ホスト装置１００は、入力装置１１６用のカーソルを誤差要因表示欄７１５の誤差要因ＩＤ表示のいずれかに合わせる操作を受け付けると、図３０Ａ〜３０Ｃに例示される吹き出し欄７３１〜７３３を表示する。吹き出し欄７３１〜７３３において、ホスト装置１００は、誤差要因ＩＤに対応する誤差要因ＤＡ１、及び、対策ＤＡ２を誤差要因対策テーブルＴＡ（図２６参照）から読み出して表示する。
【０１７４】
図３０Ａに示すように、誤差要因ＩＤ＝１を示す表示「＊１」にカーソルが合わせられると、調整点Ｐ０の目標Ｔ０の色がプリンター２００の色再現域外にあるため調整後の色を再現することができないという誤差要因ＤＡ１、及び、上述した対策１−１，１−２，１−３が表示される。従って、調整点Ｐ０がプリンター２００の色再現域外にあると判断された場合に誤差要因ＤＡ１として調整点Ｐ０がプリンター２００の色再現域外にある旨が出力され、対応する対策ＤＡ２も出力される。前述の表示を見たユーザーは、表示に従って誤差（Ｅｒ）に対する対策を容易に取ることができ、容易に誤差（Ｅｒ）を少なくしてプロファイルを調整する精度を向上させることができる。
【０１７５】
図３０Ｂに示すように、誤差要因ＩＤ＝２を示す表示「＊２」にカーソルが合わせられると、互いに近傍にある複数の調整点の入力色をプロファイルに従って色変換する際に参照される格子点が重なっていて最適な調整量を格子点に設定することができないという誤差要因ＤＡ１、及び、上述した対策２−１，２−２，２−３が表示される。対策２−２の表示において、ホスト装置１００は、対応する調整点Ｐｉと同じ格子点ＧＤ０の出力座標値を調整対象としている近傍調整点のＮｏも表示する。
以上より、調整対象プロファイル５５０の入力色空間ＣＳ４において同じ格子点ＧＤ０の出力座標値を調整対象としている複数の調整点Ｐ０が有ると判断された場合に誤差要因ＤＡ１として調整点Ｐ０同士が近傍にある旨が出力され、対応する対策ＤＡ２も出力される。前述の表示を見たユーザーは、表示に従って誤差（Ｅｒ）に対する対策を容易に取ることができ、容易に誤差（Ｅｒ）を少なくしてプロファイルを調整する精度を向上させることができる。
【０１７６】
図３０Ｃに示すように、誤差要因ＩＤ＝３を示す表示「＊３」にカーソルが合わせられると、カラーパッチＰＡの測色値のばらつきＤが調整目標Ｔ０に影響しているという誤差要因ＤＡ１、及び、上述した対策３が表示される。従って、ばらつきＤが閾値Ｄｔｈを超えていると判断された場合に誤差要因ＤＡ１としてパッチＰＡの測色値のばらつきＤが大きい旨が出力され、対応する対策ＤＡ２も出力される。前述の表示を見たユーザーは、表示に従って誤差（Ｅｒ）に対する対策を容易に取ることができ、容易に誤差（Ｅｒ）を少なくしてプロファイルを調整する精度を向上させることができる。
【０１７７】
誤差要因ＤＡ１、及び、対策ＤＡ２を見たユーザーは、図５で示したプロファイル調整処理を再び実行させて対策ＤＡ２に従い調整対象プロファイル５５０を再調整することにより、各調整点Ｐ０の調整目標Ｔ０からの誤差（Ｅｒ）を少なくすることができる。従って、調整対象プロファイル５５０に対して高精度の調整を行うための時間が少なくて済む。
【０１７８】
以上説明したように、ユーザーは、調整後のプロファイルに生じる誤差を知ることができるのでプロファイルの精度品質を容易に確認することができ、誤差が生じている場合、その発生要因および修正対策方法を容易に知ることができる。従って、本具体例は、プロファイルに対して所望の調整を短時間で行うことができ、プロファイルの調整を容易にすることができる。
【０１７９】
尚、誤差要因ＤＡ１、及び、対策ＤＡ２の出力方法は、上述した例に限定されない。
例えば、誤差要因ＤＡ１を誤差要因表示欄７１５に直接表示してもよいし、対策ＤＡ２の表示欄に対策ＤＡ２を直接表示してもよい。
また、ホスト装置１００が各調整点Ｐ０について少なくとも誤差要因ＤＡ１、及び、対策ＤＡ２を示したリストの印刷データをプリンター２００に送信し、前記印刷データを受信したプリンター２００が前記リストを被印刷物ＭＥ１に印刷してもよい。この場合も、ホスト装置１００において誤差要因ＤＡ１、及び、対策ＤＡ２の出力処理が行われることになる。
さらに、ホスト装置１００が各調整点Ｐ０について誤差要因ＤＡ１、及び、対策ＤＡ２を音声出力装置１１７から音声出力してもよい。この場合も、ホスト装置１００において誤差要因ＤＡ１、及び、対策ＤＡ２の出力処理が行われることになる。
【０１８０】
（７）変形例：
本発明は、種々の変形例が考えられる。
例えば、出力デバイスは、インクジェットプリンターに限定されず、レーザープリンターといった電子写真方式のプリンター、３次元プリンター、表示装置、等でもよい。
画像を形成する色材の種類は、Ｃ，Ｍ，Ｙ，Ｋに限定されず、Ｃ，Ｍ，Ｙ，Ｋに加えて、Ｌｃ、Ｌｍ、Ｙよりも高濃度のＤｙ（ダークイエロー）、Ｏｒ（オレンジ）、Ｇｒ（グリーン）、Ｋよりも低濃度のＬｋ（ライトブラック）、画質向上用の無着色の色材、等を含んでもよい。
むろん、第二の色空間は、ｃｍｙｋ色空間に限定されず、ＣＭＹ色空間、ＲＧＢ色空間、等でもよい。
ターゲットデバイスは、ターゲット印刷機に限定されず、表示装置等でもよい。
むろん、第一の色空間は、ＣＭＹＫ色空間に限定されず、ＣＭＹ色空間、ＲＧＢ色空間、等でもよい。
【０１８１】
図９Ｄで示した調整対象プロファイル指定欄８２０からの選択は、プロファイル６１０，６２０，６３０の３種類からの選択に限定されず、２種類のプロファイルからの選択でもよい。例えば、調整対象プロファイル指定欄８２０からの選択を、入力プロファイル６１０と出力プロファイル６２０との二択にしたり、入力プロファイル６１０とデバイスリンクプロファイル６３０との二択にしたり、出力プロファイル６２０とデバイスリンクプロファイル６３０との二択にしたりしてもよい。
また、調整対象色空間として選択可能な色空間は、第一の色空間と第二の色空間とプロファイル接続空間との３種類に限定されず、第一の色空間と第二の色空間との２種類でもよいし、第一の色空間とプロファイル接続空間との２種類でもよいし、第二の色空間とプロファイル接続空間との２種類でもよい。
【０１８２】
上述した具体例では色差Ｅｒが閾値Ｅｒｔｈを超えた場合に限定して誤差要因ＤＡ１、及び、対策ＤＡ２を出力するようにしたが、図２３のＳ３０８の処理を省略してＥｒ≦Ｅｒｔｈの場合も誤差要因ＤＡ１、及び、対策ＤＡ２を出力してもよい。
誤差要因は、上述した３要因に限定されず、さらに別の要因を含んでもよい。また、上述した３要因の一部を判別しない場合も、本技術に含まれる。例えば、図２７のＳ４０２〜Ｓ４１０における誤差要因ＩＤ＝１の誤差要因の判別処理を省略してもよいし、図２７のＳ４１２〜Ｓ４１６における誤差要因ＩＤ＝２の誤差要因の判別処理を省略してもよいし、図２７のＳ４２０〜Ｓ４２６における誤差要因ＩＤ＝３の誤差要因の判別処理を省略してもよい。
【０１８３】
ところで、図２７で示した誤差要因判別処理は、調整目標Ｔ０を使用していないので、プロファイルを調整する前においても実行可能である。
【０１８４】
図３１は、図５で示したＳ１０４〜Ｓ１２０の調整処理の前に誤差要因判別処理（図２７参照）、及び、誤差要因リスト出力処理を行うようにしたプロファイル及びパラメーター設定処理の例を示している。ホスト装置１００は、Ｓ２１０においてＵＩ画面８００への操作を入力装置１１６により受け付けた後、図２７で示した誤差要因判別処理を行う（Ｓ２５２）。この時点で、調整対象プロファイル５５０に対して図５で示したＳ１０４〜Ｓ１２０の調整処理は行われていない。従って、図２７に示す誤差要因判別処理は、調整後の調整対象プロファイル５５０に未確定である誤差（色差Ｅｒ）が生じる要因ＤＡ１を判別し、判別された要因ＤＡ１、及び、未確定の誤差（Ｅｒ）への該判別された要因ＤＡ１に対応する対策ＤＡ２を出力することになる。要因ＤＡ１は、誤差（Ｅｒ）が未確定であるため、予測される要因である。また、色差Ｅｒが得られていないことから、全ての調整点Ｐ０を対象として誤差要因判別処理が行われる。
【０１８５】
誤差要因判別処理の後、ホスト装置１００は、図２３のＳ３１２に類似する誤差要因リスト出力処理を行い（Ｓ２５４）、プロファイル及びパラメーター設定処理を終了させる。色差Ｅｒが得られていないため、ホスト装置１００は、図３２に例示するような判別結果のＵＩ画面７０１を表示装置１１５に表示すればよい。
【０１８６】
図３２に示すＵＩ画面７０１は、図２９Ａで示したＵＩ画面７００と比べて、色差表示欄７１３と判定表示欄７１４が無く、誤差要因表示欄７１５が誤差となり得る要因の表示欄７２５に置き換わっている。この表示欄７２５において、ホスト装置１００は、誤差が生じる要因ＤＡ１のＩＤのフラグがセットされなかった場合、要因ＤＡ１が見つからなかった旨（例えば「見つかりませんでした」）を表示する。ホスト装置１００は、入力装置１１６用のカーソルを表示欄７２５の要因ＩＤ表示のいずれかに合わせる操作を受け付けると、図３３Ａ〜３３Ｃに例示される吹き出し欄７４１〜７４３を表示する。吹き出し欄７４１〜７４３において、ホスト装置１００は、要因ＩＤに対応する要因ＤＡ１、及び、対策ＤＡ２を誤差要因対策テーブルＴＡから読み出して表示する。ここで、要因ＤＡ１は、未確定の誤差（Ｅｒ）に対して予測される要因を示している。対策ＤＡ２は、誤差（Ｅｒ）を未然に抑制するための対策を示している。
【０１８７】
本変形例は、プロファイルを調整する前に未確定の誤差に対する要因が判別されて対策とともに出力されるので、プロファイルの調整がさらに容易となる。
【０１８８】
尚、誤差が生じる要因を出力して対応する対策を出力しない場合や、誤差が生じる要因を出力せずに対応する対策を出力する場合も、本技術に含まれ、本技術の［態様１］の基本的な作用及び効果が得られる。
【０１８９】
（８）結び：
以上説明したように、本発明によると、種々の態様により、色空間の座標値の変換に使用するプロファイルの調整を容易にする技術等を提供することができる。むろん、独立請求項に係る構成要件のみからなる技術でも、上述した基本的な作用、効果が得られる。
また、上述した例の中で開示した各構成を相互に置換したり組み合わせを変更したりした構成、公知技術及び上述した例の中で開示した各構成を相互に置換したり組み合わせを変更したりした構成、等も実施可能である。本発明は、これらの構成等も含まれる。
【符号の説明】
【０１９０】
１００…ホスト装置（プロファイル調整装置の例）、１１４…記憶装置、１１５…表示装置、１１６…入力装置、１２０…測色装置、２００…プリンター（出力デバイスの例）、３００…ターゲット印刷機、４００…ＲＩＰ、５００…プロファイル、５５０…調整対象プロファイル、６１０…入力プロファイル、６２０…出力プロファイル、６３０…デバイスリンクプロファイル、７００，７０１…ＵＩ画面、７１１…ＩＤ表示欄、７１２…入力値表示欄、７１３…色差表示欄、７１４…判定表示欄、７１５…誤差要因表示欄、８００…ＵＩ画面、８１１…入力プロファイル選択欄、８１２…出力プロファイル選択欄、８１３…デバイスリンクプロファイル選択欄、８２０…調整対象プロファイル指定欄、８３０…調整対象色空間選択欄、８４０…目標受付領域、８４５…調整データ選択欄、８４６…チャート印刷ボタン、８４７…測色ボタン、８７０…調整実施ボタン、Ａ０…調整範囲、ＣＨ０，ＣＨ１，ＣＨ１１，ＣＨ１２…カラーチャート、ＣＳ１…第一の色空間、ＣＳ２…第二の色空間、ＣＳ３…プロファイル接続空間、ＣＳ４…入力色空間、ＣＳ５…出力色空間、ＣＳ６…調整対象色空間、Ｄ…測色値のばらつき、Ｄｔｈ…閾値（許容範囲の例）、ＤＡ１…要因、ＤＡ２…対策、Ｅｒ…色差（誤差の例）、Ｅｒｔｈ…閾値（判定基準の例）、ＧＤ０，ＧＤ１，ＧＤ２…格子点、ＧＤnearest…最近傍格子点、Ｐ０，Ｐｉ…調整点、ＰＡ，ＰＡ１，ＰＡ２…パッチ、ＰＡ０…特定パッチ、ＰＲ０…プロファイル調整プログラム、ＳＴ１…調整対象プロファイル指定工程、ＳＴ２…カラーチャート出力工程、ＳＴ３…測色値取得工程、ＳＴ４…目標受付工程、ＳＴ５…プロファイル調整工程、ＳＴ６…誤差取得工程、ＳＴ７…誤差要因判別工程、ＳＴ８…出力工程、ＳＴ３１…特定パッチ測色値取得工程、Ｔ０…目標、ＴＡ…誤差要因対策テーブル（情報テーブルの例）。
【図１】
2019021977.tif 000003
【図２】
2019021977.tif 000004
【図３】
2019021977.tif 000005
【図４】
2019021977.tif 000006
【図５】
2019021977.tif 000007
【図６】
2019021977.tif 000008
【図７】
2019021977.tif 000009
【図８】
2019021977.tif 000010
【図９】
2019021977.tif 000011
【図１０】
2019021977.tif 000012
【図１１】
2019021977.tif 000013
【図１２】
2019021977.tif 000014
【図１３】
2019021977.tif 000015
【図１４】
2019021977.tif 000016
【図１５】
2019021977.tif 000017
【図１６】
2019021977.tif 000018
【図１７】
2019021977.tif 000019
【図１８】
2019021977.tif 000020
【図１９】
2019021977.tif 000021
【図２０】
2019021977.tif 000022
【図２１】
2019021977.tif 000023
【図２２】
2019021977.tif 000024
【図２３】
2019021977.tif 000025
【図２４】
2019021977.tif 000026
【図２５】
2019021977.tif 000027
【図２６】
2019021977.tif 000028
【図２７】
2019021977.tif 000029
【図２８】
2019021977.tif 000030
【図２９】
2019021977.tif 000031
【図３０】
2019021977.tif 000032
【図３１】
2019021977.tif 000033
【図３２】
2019021977.tif 000034
【図３３】
2019021977.tif 000035